(57)【要約】  本発明の実施形態は、通信技術の分野に関し、アップリンクチャネルの周波数領域リソースの使用率を改善するために、アップリンク制御チャネルリソース構成方法および装置を提供する。方法は、基地局によってリソース構成情報を決定するステップ、および基地局によってリソース構成情報をUEに送信するステップを含み、リソース構成情報は、第1のアップリンク制御チャネルPUCCHの第1のホップリソース、第1のPUCCHの周波数領域リソースオフセット、および／またはユーザ機器UEによって使用される帯域幅部分BWPの帯域幅を含み、第1のPUCCHはUEのPUCCHである。
2021503843.tif 000002
【特許請求の範囲】
【請求項１】
アップリンク制御チャネルリソース構成方法であって、
基地局によって、リソース構成情報を決定するステップであって、前記リソース構成情報は、第1のアップリンク制御チャネルPUCCHの第1のホップリソース、前記第1のPUCCHの周波数領域リソースオフセット、および／またはユーザ機器UEによって使用される帯域幅部分BWPの帯域幅を含み、前記第1のPUCCHは前記UEのPUCCHである、ステップと、
前記基地局によって、前記リソース構成情報をUEに送信するステップと
を含む、アップリンク制御チャネルリソース構成方法。
【請求項２】
前記リソース構成情報が、前記第1のPUCCHの周波数ホッピング位置および／または前記第1のPUCCHの周波数ホッピング規則をさらに含む、
請求項1に記載の方法。
【請求項３】
前記第1のPUCCHの周波数ホッピング位置が、第2のPUCCHの終了位置または第3のPUCCHの開始位置であり、前記第2のPUCCHおよび前記第3のPUCCHは、時間領域で連続するPUCCHであり、
前記第1のPUCCHの長さ、前記第2のPUCCHの長さ、および前記第3のPUCCHの長さは、次の条件：
前記第1のPUCCHの前記長さが、前記第2のPUCCHの前記長さと前記第3のPUCCHの前記長さの合計である；または
前記第1のPUCCHの前記長さが、前記第2のPUCCHの前記長さの整数倍と前記第3のPUCCHの前記長さの整数倍の合計である、
のいずれかを満たす、
請求項1または2に記載の方法。
【請求項４】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表す、
のいずれかを含む、請求項1または2に記載の方法。
【請求項５】
前記第1のPUCCHの前記長さが前記第2のPUCCHの前記長さのn倍であり、前記第2のPUCCHの開始位置または前記終了位置が前記第1のPUCCHの前記周波数ホッピング位置と同じである場合、前記第1のPUCCHの周波数領域リソースおよび前記第2のPUCCHの周波数領域リソースは、利用可能な周波数領域リソースにおける周波数領域リソースであり、前記第1のPUCCHの前記周波数領域リソースと前記第2のPUCCHの前記周波数領域リソースとの間の距離は予め設定された閾値以下であり、前記第1のPUCCHの前記長さと前記第2のPUCCHの前記長さの両方が2σ、n≧1、σ≧0、σは整数である、
請求項3または4に記載の方法。
【請求項６】
前記第1のPUCCHの前記長さが前記第2のPUCCHの前記長さのn倍であるとき、前記第1のPUCCHの周波数領域リソースは、前記第2のPUCCHの周波数領域リソースと同じであり、前記第1のPUCCHの前記長さと前記第2のPUCCHの前記長さの両方が2σ、n≧1、σ≧0、σは整数である、
請求項3または4に記載の方法。
【請求項７】
前記基地局が、以下の方式：
前記基地局は、ブロードキャストメッセージ、システムメッセージ、または無線リソース制御RRCシグナリングを使用して、前記第1のPUCCHの前記周波数領域リソースオフセットを前記UEに送信する；
前記基地局は、ダウンリンク制御情報DCIを使用して、前記第1のPUCCHの前記周波数領域リソースオフセットを前記UEに送信する；
前記基地局は、メディアアクセス制御制御要素MAC CEを使用して、前記第1のPUCCHの前記周波数領域リソースオフセットを前記UEに送信する；
前記基地局は、前記ブロードキャストメッセージ、前記システムメッセージ、または前記RRCシグナリングを使用して一連の周波数領域リソースオフセットを前記UEに送信し、前記DCIを使用して、前記第1のPUCCHの前記周波数領域リソースオフセットの指示情報を前記UEに送信し、前記一連の周波数領域リソースオフセットは、少なくとも1つの候補周波数領域リソースオフセットを含む；
前記基地局は、前記ブロードキャストメッセージ、前記システムメッセージ、または前記RRCシグナリングを使用して一連の周波数領域リソースオフセットを前記UEに送信し、前記MAC CEを使用して、前記第1のPUCCHの前記周波数領域リソースオフセットの指示情報を前記UEに送信し、前記一連の周波数領域リソースオフセットは、少なくとも1つの候補周波数領域リソースオフセットを含む；
前記基地局は、前記DCIを使用して、前記第1のPUCCHの前記周波数領域リソースオフセットの指示情報を前記UEに送信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている；または
前記基地局は、前記MAC CEを使用して、前記第1のPUCCHの前記周波数領域リソースオフセットの指示情報を前記UEに送信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている、
のいずれか1つを使用して、前記第1のPUCCHの前記周波数領域リソースオフセットを前記UEに送信する、請求項1から6のいずれか一項に記載の方法。
【請求項８】
アップリンク制御チャネルリソース構成方法であって、
ユーザ機器UEによって、リソース構成情報を取得するステップであって、前記リソース構成情報は、第1のアップリンク制御チャネルPUCCHの第1のホップリソース、前記第1のPUCCHの周波数領域リソースオフセット、および／または前記UEによって使用される帯域幅部分BWPの帯域幅を含み、前記第1のPUCCHは前記UEのPUCCHである、ステップと、
前記UEによって、前記リソース構成情報に基づいて前記第1のPUCCHの第2のホップリソースを決定するステップと
を含む、アップリンク制御チャネルリソース構成方法。
【請求項９】
前記リソース構成情報が、前記第1のPUCCHの周波数ホッピング位置および／または前記第1のPUCCHの周波数ホッピング規則をさらに含む、
請求項8に記載の方法。
【請求項１０】
前記第1のPUCCHの周波数ホッピング位置は、第2のPUCCHの終了位置または第3のPUCCHの開始位置であり、前記第2のPUCCHおよび前記第3のPUCCHは、時間領域で連続するPUCCHであり、
前記第1のPUCCHの長さ、前記第2のPUCCHの長さ、および前記第3のPUCCHの長さは、次の条件：
前記第1のPUCCHの前記長さが、前記第2のPUCCHの前記長さと前記第3のPUCCHの前記長さの合計である；または
前記第1のPUCCHの前記長さが、前記第2のPUCCHの前記長さの整数倍と前記第3のPUCCHの前記長さの整数倍の合計である、
のいずれかを満たす、
請求項8または9に記載の方法。
【請求項１１】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表す、
のいずれかを含む、請求項8または9に記載の方法。
【請求項１２】
前記UEによって、前記リソース構成情報に基づいて前記第1のPUCCHの第2のホップリソースを決定する前記ステップが、
前記UEによって、前記第1のPUCCHの前記第1のホップリソースおよび／または前記第1のPUCCHの前記周波数領域リソースオフセットに基づいて、かつ前記規則1、前記規則2、および前記規則3のいずれかに従って、前記第1のPUCCHの前記第2のホップリソースを決定するステップ
を含む、請求項8から11のいずれか一項に記載の方法。
【請求項１３】
前記第1のPUCCHの前記長さが前記第2のPUCCHの前記長さのn倍であり、前記第2のPUCCHの開始位置または前記終了位置が前記第1のPUCCHの前記周波数ホッピング位置と同じである場合、前記第1のPUCCHの周波数領域リソースおよび前記第2のPUCCHの周波数領域リソースは、利用可能な周波数領域リソースにおける周波数領域リソースであり、前記第1のPUCCHの前記周波数領域リソースと前記第2のPUCCHの前記周波数領域リソースとの間の距離は予め設定された閾値以下であり、前記第1のPUCCHの前記長さと前記第2のPUCCHの前記長さの両方が2σ、n≧1、σ≧0、σは整数である、
請求項10から12のいずれか一項に記載の方法。
【請求項１４】
前記第1のPUCCHの前記長さが前記第2のPUCCHの前記長さのn倍であるとき、前記第1のPUCCHの周波数領域リソースは、前記第2のPUCCHの周波数領域リソースと同じであり、前記第1のPUCCHの前記長さと前記第2のPUCCHの前記長さの両方が2σ、n≧1、σ≧0、σは整数である、
請求項10から12のいずれか一項に記載の方法。
【請求項１５】
前記UEが、以下の方式：
前記UEは、ブロードキャストメッセージ、システムメッセージ、または無線リソース制御RRCシグナリングを使用して、前記第1のPUCCHの、前記基地局によって送信される前記周波数領域リソースオフセットを受信する；
前記UEは、ダウンリンク制御情報DCIを使用して、前記第1のPUCCHの、基地局によって送信される前記周波数領域リソースオフセットを受信する；
前記UEは、メディアアクセス制御制御要素MAC CEを使用して、前記第1のPUCCHの、前記基地局によって送信される前記周波数領域リソースオフセットを受信する；
前記UEは、前記ブロードキャストメッセージ、前記システムメッセージ、または前記RRCシグナリングを使用して、前記基地局によって送信される一連の周波数領域リソースオフセットを受信し、前記DCIを使用して、前記第1のPUCCHの前記周波数領域リソースオフセットの、前記基地局によって送信される指示情報を受信し、前記一連の周波数領域リソースオフセットは、少なくとも1つの候補周波数領域リソースオフセットを含む；
前記UEは、前記ブロードキャストメッセージ、前記システムメッセージ、または前記RRCシグナリングを使用して、前記基地局によって送信される一連の周波数領域リソースオフセットを受信し、前記MAC CEを使用して、前記第1のPUCCHの前記周波数領域リソースオフセットの、前記基地局によって送信される指示情報を受信し、前記一連の周波数領域リソースオフセットは、少なくとも1つの候補周波数領域リソースオフセットを含む；
前記UEは、前記DCIを使用して、前記第1のPUCCHの前記周波数領域リソースオフセットの、前記基地局によって送信される指示情報を受信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている；または
前記UEは、前記MAC CEを使用して、前記第1のPUCCHの前記周波数領域リソースオフセットの、前記基地局によって送信される指示情報を受信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている、
のいずれか1つを使用して、前記第1のPUCCHの前記周波数領域リソースオフセットを取得する、請求項8から14のいずれか一項に記載の方法。
【請求項１６】
決定モジュールおよび送信モジュールを備える基地局であって、
前記決定モジュールは、リソース構成情報を決定するように構成され、前記リソース構成情報は、第1のアップリンク制御チャネルPUCCHの第1のホップリソース、前記第1のPUCCHの周波数領域リソースオフセット、および／またはユーザ機器UEによって使用される帯域幅部分BWPの帯域幅を含み、前記第1のPUCCHは前記UEのPUCCHであり、
前記送信モジュールは、前記リソース構成情報を前記UEに送信するように構成される、
基地局。
【請求項１７】
前記リソース構成情報が、前記第1のPUCCHの周波数ホッピング位置および／または前記第1のPUCCHの周波数ホッピング規則をさらに含む、
請求項16に記載の基地局。
【請求項１８】
前記第1のPUCCHの周波数ホッピング位置は、第2のPUCCHの終了位置または第3のPUCCHの開始位置であり、前記第2のPUCCHおよび前記第3のPUCCHは、時間領域で連続するPUCCHであり、
前記第1のPUCCHの長さ、前記第2のPUCCHの長さ、および前記第3のPUCCHの長さは、次の条件：
前記第1のPUCCHの前記長さが、前記第2のPUCCHの前記長さと前記第3のPUCCHの前記長さの合計である；または
前記第1のPUCCHの前記長さが、前記第2のPUCCHの前記長さの整数倍と前記第3のPUCCHの前記長さの整数倍の合計である、
のいずれかを満たす、
請求項16または17に記載の基地局。
【請求項１９】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表す、
のいずれかを含む、請求項16または17に記載の基地局。
【請求項２０】
前記第1のPUCCHの前記長さが前記第2のPUCCHの前記長さのn倍であり、前記第2のPUCCHの開始位置または前記終了位置が前記第1のPUCCHの前記周波数ホッピング位置と同じである場合、前記第1のPUCCHの周波数領域リソースおよび前記第2のPUCCHの周波数領域リソースは、利用可能な周波数領域リソースにおける周波数領域リソースであり、前記第1のPUCCHの前記周波数領域リソースと前記第2のPUCCHの前記周波数領域リソースとの間の距離は予め設定された閾値以下であり、前記第1のPUCCHの前記長さと前記第2のPUCCHの前記長さの両方が2σ、n≧1、σ≧0、σは整数である、
請求項18または19に記載の基地局。
【請求項２１】
前記送信モジュールが、以下の動作：
ブロードキャストメッセージ、システムメッセージ、または無線リソース制御RRCシグナリングを使用して、前記第1のPUCCHの前記周波数領域リソースオフセットを前記UEに送信する；
ダウンリンク制御情報DCIを使用して、前記第1のPUCCHの前記周波数領域リソースオフセットを前記UEに送信する；
メディアアクセス制御制御要素MAC CEを使用して、前記第1のPUCCHの前記周波数領域リソースオフセットを前記UEに送信する；
前記ブロードキャストメッセージ、前記システムメッセージ、または前記RRCシグナリングを使用して一連の周波数領域リソースオフセットを前記UEに送信し、前記DCIを使用して、前記第1のPUCCHの前記周波数領域リソースオフセットの指示情報を前記UEに送信し、前記一連の周波数領域リソースオフセットは、少なくとも1つの候補周波数領域リソースオフセットを含む；
前記ブロードキャストメッセージ、前記システムメッセージ、または前記RRCシグナリングを使用して一連の周波数領域リソースオフセットを前記UEに送信し、前記MAC CEを使用して前記第1のPUCCHの前記周波数領域リソースオフセットの指示情報を前記UEに送信し、前記一連の周波数領域リソースオフセットは、少なくとも1つの候補周波数領域リソースオフセットを含む；
前記DCIを使用して前記第1のPUCCHの前記周波数領域リソースオフセットの指示情報を前記UEに送信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている；または
前記MAC CEを使用して、前記第1のPUCCHの前記周波数領域リソースオフセットの指示情報を前記UEに送信し、前記第1のPUCCHの周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている、
の少なくとも1つを実行するように特に構成される、請求項16から20のいずれか一項に記載の基地局。
【請求項２２】
取得モジュールおよび決定モジュールを備えるユーザ機器UEであって、
前記取得モジュールは、リソース構成情報を取得するように構成され、前記リソース構成情報は、第1のアップリンク制御チャネルPUCCHの第1のホップリソース、前記第1のPUCCHの周波数領域リソースオフセット、および／または前記UEによって使用される帯域幅部分BWPの帯域幅を含み、前記第1のPUCCHは前記UEのPUCCHであり、
前記決定モジュールは、前記リソース構成情報に基づいて前記第1のPUCCHの第2のホップリソースを決定するように構成される、
ユーザ機器UE。
【請求項２３】
前記リソース構成情報が、前記第1のPUCCHの周波数ホッピング位置および／または前記第1のPUCCHの周波数ホッピング規則をさらに含む、
請求項22に記載のUE。
【請求項２４】
前記第1のPUCCHの周波数ホッピング位置は、第2のPUCCHの終了位置または第3のPUCCHの開始位置であり、前記第2のPUCCHおよび前記第3のPUCCHは、時間領域で連続するPUCCHであり、
前記第1のPUCCHの長さ、前記第2のPUCCHの長さ、および前記第3のPUCCHの長さは、次の条件：
前記第1のPUCCHの前記長さが、前記第2のPUCCHの前記長さと前記第3のPUCCHの前記長さの合計である；または
前記第1のPUCCHの前記長さが、前記第2のPUCCHの前記長さの整数倍と前記第3のPUCCHの前記長さの整数倍の合計である、
のいずれかを満たす、
請求項22または23に記載のUE。
【請求項２５】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記UEによって使用される前記BWPに含まれるリソースユニットの総数を表す、
のいずれかを含む、請求項22または23に記載のUE。
【請求項２６】
前記決定モジュールが、前記第1のPUCCHの前記第1のホップリソースおよび／または前記第1のPUCCHの前記周波数領域リソースオフセットに基づいて、かつ前記規則1、前記規則2、および前記規則3のいずれかに従って、前記第1のPUCCHの前記第2のホップリソースを決定するように特に構成される、
請求項22から25に記載のUE。
【請求項２７】
前記第1のPUCCHの前記長さが前記第2のPUCCHの前記長さのn倍であり、前記第2のPUCCHの開始位置または前記終了位置が前記第1のPUCCHの前記周波数ホッピング位置と同じである場合、前記第1のPUCCHの周波数領域リソースおよび前記第2のPUCCHの周波数領域リソースは、利用可能な周波数領域リソースにおける周波数領域リソースであり、前記第1のPUCCHの前記周波数領域リソースと前記第2のPUCCHの前記周波数領域リソースとの間の距離は予め設定された閾値以下であり、前記第1のPUCCHの前記長さと前記第2のPUCCHの前記長さの両方が2σ、n≧1、σ≧0、σは整数である、
請求項22から26のいずれか一項に記載のUE。
【請求項２８】
前記取得モジュールが、以下の動作：
ブロードキャストメッセージ、システムメッセージ、または無線リソース制御RRCシグナリングを使用して、前記第1のPUCCHの、基地局によって送信される前記周波数領域リソースオフセットを受信する；
ダウンリンク制御情報DCIを使用して、前記第1のPUCCHの、前記基地局によって送信される前記周波数領域リソースオフセットを受信する；
メディアアクセス制御制御要素MAC CEを使用して、前記第1のPUCCHの、前記基地局によって送信される前記周波数領域リソースオフセットを受信する；
前記ブロードキャストメッセージ、前記システムメッセージ、または前記RRCシグナリングを使用して、前記基地局によって送信される一連の周波数領域リソースオフセットを受信し、前記DCIを使用して、前記第1のPUCCHの前記周波数領域リソースオフセットの、前記基地局によって送信される指示情報を受信し、前記一連の周波数領域リソースオフセットは、少なくとも1つの候補周波数領域リソースオフセットを含む；
前記ブロードキャストメッセージ、前記システムメッセージ、または前記RRCシグナリングを使用して、前記基地局によって送信される一連の周波数領域リソースオフセットを受信し、前記MAC CEを使用して、前記第1のPUCCHの前記周波数領域リソースオフセットの、前記基地局によって送信される指示情報を受信し、前記一連の周波数領域リソースオフセットは、少なくとも1つの候補周波数領域リソースオフセットを含む；
前記DCIを使用して、前記第1のPUCCHの前記周波数領域リソースオフセットの、前記基地局によって送信される指示情報を受信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている；または
前記MAC CEを使用して、前記第1のPUCCHの前記周波数領域リソースオフセットの、前記基地局によって送信される指示情報を受信し、前記第1のPUCCHの前記周波数領域リソースオフセットの前記指示情報は、一連の周波数領域リソースオフセット内の前記第1のPUCCHの前記周波数領域リソースオフセットを示すために使用され、前記一連の周波数領域リソースオフセットは少なくとも1つの候補周波数領域リソースオフセットを含み、前記一連の周波数領域リソースオフセットは前記UEで事前構成されている、
の少なくとも1つを実行するように特に構成される、請求項22から27のいずれか一項に記載のUE。
【請求項２９】
プロセッサと、前記プロセッサに結合されたメモリとを備える基地局であって、
前記メモリは、コンピュータ命令を格納するように構成され、前記基地局が起動すると、前記プロセッサは、前記メモリに格納された前記コンピュータ命令を実行し、その結果、前記基地局は、請求項1から7のいずれか一項に記載のアップリンク制御チャネルリソース構成方法を実行する、
基地局。
【請求項３０】
プロセッサと、前記プロセッサに結合されたメモリとを備えるユーザ機器UEであって、
前記メモリは、コンピュータ命令を格納するように構成され、前記UEが起動すると、前記プロセッサは、前記メモリに格納された前記コンピュータ命令を実行し、その結果、前記UEは、請求項8から15のいずれか一項に記載のアップリンク制御チャネルリソース構成方法を実行する、
ユーザ機器UE。
【発明の詳細な説明】
【技術分野】
【０００１】
本出願は、2017年11月17日に中国特許庁に出願された“UPLINK CONTROL CHANNEL RESOURCE CONFIGURATION METHOD AND APPARATUS”と題された中国特許出願第201711148424．2号の優先権を主張し、その全体が参照により本明細書に組み込まれる。
【０００２】
本発明の実施形態は、通信技術の分野に関し、特に、アップリンク制御チャネルリソース構成方法および装置に関する。
【背景技術】
【０００３】
新しい無線（new radio，NR）システム（5Gシステムとも呼ばれる）では、アップリンク制御チャネル（physical uplink control channel，PUCCH）のリソース割り当てがより柔軟になる。
【０００４】
現在、PUCCHに周波数領域リソースを割り当てるプロセスにおいて、1つのスロットで周波数ホッピングが発生し得るPUCCHの場合、ユーザ機器（user equipment，UE）によって使用される帯域幅部分（bandwidth part，BWP）に基づいて周波数領域リソースがPUCCHに割り当てられ得る。具体的には、例えば、UE1およびUE2などの同じBWPで構成されたUEの場合、周波数ホッピングは、1つのスロットにおいてUE1のPUCCH1およびUE2のPUCCH2で2回発生する。PUCCH1の第1ホップの周波数領域リソースは、PUCCH2の第1ホップの周波数領域リソースとは異なり、同じ周波数ホッピング範囲（周波数ホッピング範囲は、PUCCHの第2ホップの周波数領域リソースとPUCCHの第1ホップの周波数領域リソースとの間の距離である）が、PUCCH1およびPUCCH2のために構成され得る。例えば、UE1またはUE2によって使用されるBWPのn（0≦n≦1）倍が使用され得、すなわち、n×BWPは、PUCCH1およびPUCCH2の周波数ホッピング範囲として使用される。このようにして、周波数ホッピングが発生した後のPUCCH1の周波数領域リソース（すなわち、第2ホップの周波数領域リソース）とPUCCH2の第2ホップの周波数領域リソースとの間の競合が回避されることができる。図1は、PUCCH1およびPUCCH2の周波数ホッピングの概略図であり、周波数ホッピングは、周波数ホッピング範囲として0．5×BWPを使用して実行される。
【０００５】
しかしながら、前述の方法では、PUCCH1およびPUCCH2の後、PUCCH1の第2ホップの周波数領域リソースおよびPUCCH2の第2ホップの周波数領域リソースは、BWP全体を中断し、複数のPUCCHフラグメントを引き起こし得る。その結果、アップリンク共有チャネル（physical uplink shared channel，PUSCH）に使用される周波数領域リソースは不連続であり、効率的な情報伝送はPUSCHで実装されることができない。これにより、周波数領域リソースの使用率が比較的低くなる。
【発明の概要】
【０００６】
本出願は、アップリンクチャネルの周波数領域リソースの使用率を改善するために、アップリンク制御チャネルリソース構成方法および装置を提供する。
【課題を解決するための手段】
【０００７】
前述の目的を達成するために、本出願では以下の技術的解決策が使用される。
【０００８】
第1の態様によれば、アップリンク制御チャネルリソース構成方法が提供される。方法は、基地局によってリソース構成情報を決定するステップ、および基地局によってリソース構成情報をUEに送信するステップを含むことができ、リソース構成情報は、第1のアップリンク制御チャネルPUCCHの第1のホップリソース、第1のPUCCHの周波数領域リソースオフセット、および／またはUEによって使用されるBWPの帯域幅を含み、第1のPUCCHはUEのPUCCHである。
【０００９】
本出願で提供されるアップリンク制御チャネルリソース構成方法によれば、基地局は、第1のPUCCHの第1のホップリソース、第1のPUCCHの周波数領域リソースオフセット、および／またはUEによって使用されるBWPの帯域幅を含むリソース構成情報を決定し、リソース構成情報をUEに送信することができ、第1のPUCCHはUEのPUCCHである。従来技術と比較して、基地局は、第1のPUCCHの周波数領域リソースオフセットおよび／または第1のPUCCHのためにUEによって使用されるBWPの帯域幅を構成し得るため、UEは、第1のPUCCHの周波数領域リソースオフセットおよび／またはUEによって使用されるBWPの帯域幅に基づく第1のPUCCHの第2のホップリソースを決定することができ、その結果、第1のPUCCHの周波数領域リソースは、UEのBWPの2つの端部で分散され得る。PUSCHの周波数領域リソースがある程度隣接していることが保証され、それにより、アップリンクチャネルの周波数領域リソースの使用率を改善する。
【００１０】
第1の態様の第1のオプションの実装では、基地局は、以下の方式のいずれか1つを使用して、第1のPUCCHの周波数領域リソースオフセットをUEに送信する：
基地局は、ブロードキャストメッセージ、システムメッセージ、または無線リソース制御（radio resource control，RRC）シグナリングを使用して、第1のPUCCHの周波数領域リソースオフセットをUEに送信する；
基地局は、ダウンリンク制御情報（downlink control information，DCI）を使用して、第1のPUCCHの周波数領域リソースオフセットをUEに送信する；
基地局は、メディアアクセス制御制御要素（media access control control element，MAC CE）を使用して、第1のPUCCHの周波数領域リソースオフセットをUEに送信する；
基地局は、ブロードキャストメッセージ、システムメッセージ、またはRRCシグナリングを使用して一連の周波数領域リソースオフセットをUEに送信し、DCIを使用して第1のPUCCHの周波数領域リソースオフセットの指示情報をUEに送信し、一連の周波数領域リソースオフセットは、少なくとも1つの候補周波数領域リソースオフセットを含む；
基地局は、ブロードキャストメッセージ、システムメッセージ、またはRRCシグナリングを使用して一連の周波数領域リソースオフセットをUEに送信し、MAC CEを使用して第1のPUCCHの周波数領域リソースオフセットの指示情報をUEに送信し、一連の周波数領域リソースオフセットは、少なくとも1つの候補周波数領域リソースオフセットを含む；
基地局は、DCIを使用して第1のPUCCHの周波数領域リソースオフセットの指示情報をUEに送信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている；または
基地局は、MAC CEを使用して、第1のPUCCHの周波数領域リソースオフセットの指示情報をUEに送信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている。
【００１１】
本出願では、基地局は、前述のいくつかの方式で、第1のPUCCHの周波数領域リソースオフセットをUEに送信し得る。このようにして、基地局は、第1のPUCCHの周波数領域リソースオフセットを、より柔軟にUEに提供することができる。
【００１２】
第2の態様によれば、アップリンク制御チャネルリソース構成方法が提供される。方法は、UEによってリソース構成情報を取得するステップ、およびUEによって、リソース構成情報に基づいて第1のPUCCHの第2のホップリソースを決定するステップを含むことができ、リソース構成情報は第1のPUCCHの第1のホップリソース、第1のPUCCHの周波数領域リソースオフセット、および／またはUEによって使用されるBWPの帯域幅を含み、第1のPUCCHは、UEのPUCCHである。
【００１３】
第2の態様の技術的効果の説明については、第1の態様の技術的効果の説明を参照されたい。詳細はここでは再度説明されない。
【００１４】
第2の態様の第1のオプションの実装では、UEによって、リソース構成情報に基づいて第1のPUCCHの第2のホップリソースを決定するための方法は、具体的には：UEによって、第1のPUCCHの第1のホップリソースおよび／または第1のPUCCHの周波数領域リソースオフセットに基づいて、かつ規則1、規則2、および規則3のいずれかに従って、第1のPUCCHの第2のホップリソースを決定するステップを含み得る。
【００１５】
本出願では、UEは、第2のホップリソースに基づいて周波数ホッピングを実装するために、上記の3つの規則の1つに従って第1のPUCCHの第2のホップリソースを決定し得る。
【００１６】
第2の態様の第2のオプションの実装では、UEは、以下の方式のいずれか1つを使用して、第1のPUCCHの周波数領域リソースオフセットを取得する：
UEは、ブロードキャストメッセージ、システムメッセージ、またはRRCシグナリングを使用して、第1のPUCCHの、基地局によって送信される周波数領域リソースオフセットを受信する；
UEは、DCIを使用して、第1のPUCCHの、基地局によって送信される周波数領域リソースオフセットを受信する；
UEは、MAC CEを使用して、第1のPUCCHの、基地局によって送信される周波数領域リソースオフセットを受信する；
UEは、ブロードキャストメッセージ、システムメッセージ、またはRRCシグナリングを使用して、基地局によって送信される一連の周波数領域リソースオフセットを受信し、DCIを使用して、第1のPUCCHの周波数領域リソースオフセットの、基地局によって送信される指示情報を受信し、一連の周波数領域リソースオフセットは、少なくとも1つの候補周波数領域リソースオフセットを含む；
UEは、ブロードキャストメッセージ、システムメッセージ、またはRRCシグナリングを使用して、基地局によって送信される一連の周波数領域リソースオフセットを受信し、MAC CEを使用して、第1のPUCCHの周波数領域リソースオフセットの、基地局によって送信される指示情報を受信し、一連の周波数領域リソースオフセットは、少なくとも1つの候補周波数領域リソースオフセットを含む；
UEは、DCIを使用して、第1のPUCCHの周波数領域リソースオフセットの、基地局によって送信される指示情報を受信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている；または
UEは、MAC CEを使用して、第1のPUCCHの周波数領域リソースオフセットの、基地局によって送信される指示情報を受信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている。
【００１７】
第3の態様によれば、基地局が提供される。基地局は、決定モジュールおよび送信モジュールを含み得る。決定モジュールは、リソース構成情報を決定するように構成され得、リソース構成情報は、第1のPUCCHの第1のホップリソース、第1のPUCCHの周波数領域リソースオフセット、および／またはUEによって使用されるBWPの帯域幅を含み、第1のPUCCHはUEのPUCCHである。送信モジュールは、リソース構成情報をUEに送信するように構成され得る。
【００１８】
第3の態様の第1のオプションの実装では、送信モジュールは、以下の動作の少なくとも1つを実行するように特に構成される：
ブロードキャストメッセージ、システムメッセージ、または無線リソース制御RRCシグナリングを使用して、第1のPUCCHの周波数領域リソースオフセットをUEに送信する；
DCIを使用して、第1のPUCCHの周波数領域リソースオフセットをUEに送信する；
MAC CEを使用して、第1のPUCCHの周波数領域リソースオフセットをUEに送信する；
ブロードキャストメッセージ、システムメッセージ、またはRRCシグナリングを使用して一連の周波数領域リソースオフセットをUEに送信し、DCIを使用して第1のPUCCHの周波数領域リソースオフセットの指示情報をUEに送信し、一連の周波数領域リソースオフセットは、少なくとも1つの候補周波数領域リソースオフセットを含む；
ブロードキャストメッセージ、システムメッセージ、またはRRCシグナリングを使用して一連の周波数領域リソースオフセットをUEに送信し、MAC CEを使用して第1のPUCCHの周波数領域リソースオフセットの指示情報をUEに送信し、一連の周波数領域リソースオフセットは、少なくとも1つの候補周波数領域リソースオフセットを含む；
DCIを使用して第1のPUCCHの周波数領域リソースオフセットの指示情報をUEに送信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている；または
MAC CEを使用して、第1のPUCCHの周波数領域リソースオフセットの指示情報をUEに送信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている。
【００１９】
第3の態様の技術的効果の説明については、第1の態様の技術的効果の説明を参照されたい。詳細はここでは再度説明されない。
【００２０】
第4の態様によれば、UEが提供される。UEは、取得モジュールおよび決定モジュールを含み得る。取得モジュールは、リソース構成情報を取得するように構成され得、リソース構成情報は、第1のPUCCHの第1のホップリソース、第1のPUCCHの周波数領域リソースオフセット、および／またはUEによって使用されるBWPの帯域幅を含み、第1のPUCCHは、UEのPUCCHである。決定モジュールは、リソース構成情報に基づいて第1のPUCCHの第2のホップリソースを決定するように構成され得る。
【００２１】
第4の態様の第1のオプションの実装では、決定モジュールは、第1のPUCCHの第1のホップリソースおよび／または第1のPUCCHの周波数領域リソースオフセットに基づいて、かつ規則1、規則2、および規則3のいずれかに従って、第1のPUCCHの第2のホップリソースを決定するように特に構成される。
【００２２】
第4の態様の第2のオプションの実装では、取得モジュールは、以下の動作の少なくとも1つを実行するように特に構成される：
ブロードキャストメッセージ、システムメッセージ、またはRRCシグナリングを使用して、第1のPUCCHの、基地局によって送信される周波数領域リソースオフセットを受信する；
DCIを使用して、第1のPUCCHの、基地局によって送信される周波数領域リソースオフセットを受信する；
MAC CEを使用して、第1のPUCCHの、基地局によって送信される周波数領域リソースオフセットを受信する；
ブロードキャストメッセージ、システムメッセージ、またはRRCシグナリングを使用して、基地局によって送信される一連の周波数領域リソースオフセットを受信し、DCIを使用して、第1のPUCCHの周波数領域リソースオフセットの、基地局によって送信される指示情報を受信し、一連の周波数領域リソースオフセットは、少なくとも1つの候補周波数領域リソースオフセットを含む；
ブロードキャストメッセージ、システムメッセージ、またはRRCシグナリングを使用して、基地局によって送信される一連の周波数領域リソースオフセットを受信し、MAC CEを使用して、第1のPUCCHの周波数領域リソースオフセットの、基地局によって送信される指示情報を受信し、一連の周波数領域リソースオフセットは、少なくとも1つの候補周波数領域リソースオフセットを含む；
DCIを使用して、第1のPUCCHの周波数領域リソースオフセットの、基地局によって送信される指示情報を受信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている；または
MAC CEを使用して、第1のPUCCHの周波数領域リソースオフセットの、基地局によって送信される指示情報を受信し、第1のPUCCHの周波数領域リソースオフセットの指示情報は、一連の周波数領域リソースオフセット内の第1のPUCCHの周波数領域リソースオフセットを示すために使用され、一連の周波数領域リソースオフセットは少なくとも1つの候補周波数領域リソースオフセットを含み、一連の周波数領域リソースオフセットはUEで事前構成されている。
【００２３】
第4の態様の技術的効果の説明については、第2の態様の技術的効果の説明を参照されたい。詳細はここでは再度説明されない。
【００２４】
第1の態様から第4の態様では、リソース構成情報は、第1のPUCCHの周波数ホッピング位置および／または第1のPUCCHの周波数ホッピング規則をさらに含み得る。
【００２５】
本出願では、基地局は、UEの第1のPUCCHの周波数ホッピング位置および／または第1のPUCCHの周波数ホッピング規則をさらに構成することができ、その結果、UEは、リソース構成情報に基づいて第1のPUCCHの第2のホップリソースを決定することができる。
【００２６】
第1の態様から第4の態様では、第1のPUCCHの周波数ホッピング位置は、第2のPUCCHの終了位置または第3のPUCCHの開始位置であり、第2のPUCCHおよび第3のPUCCHは、時間領域で連続するPUCCHである；そして
第1のPUCCHの長さ、第2のPUCCHの長さ、および第3のPUCCHの長さは、次のいずれかの条件を満たす：
第1のPUCCHの長さは、第2のPUCCHの長さと第3のPUCCHの長さの合計である；または
第1のPUCCHの長さは、第2のPUCCHの長さの整数倍と第3のPUCCHの長さの整数倍の合計である。
【００２７】
本出願では、第1のPUCCHの長さが第2のPUCCHの長さと第3のPUCCHの長さの合計である場合、第2のPUCCHの終了位置または第3のPUCCHの開始位置において第1のPUCCHで周波数ホッピングが発生する。したがって、第1のホップで第1のPUCCHによって使用される周波数領域リソースは、第2のPUCCHの周波数領域リソースと同じである、すなわち、第1のPUCCHは、第1のホップで第2のPUCCHの周波数領域リソースを多重化し得る；そして、第2のホップで第1のPUCCHによって使用される周波数領域リソースは、第3のPUCCHの周波数領域リソースと同じである、すなわち、第1のPUCCHは、第2のホップで第3のPUCCHの周波数領域リソースを多重化し得る。このようにして、同じ周波数領域リソースが異なるPUCCHによって多重化され得る。周波数領域リソースの多重化の観点から、周波数領域リソースの使用率が改善されることができる。
【００２８】
また、第1のPUCCHの長さ、第2のPUCCHの長さ、および第3のPUCCHの長さは、第1のPUCCHの長さが、第2のPUCCHの長さの整数倍と第3のPUCCHの長さの整数倍の合計であるという条件を満たすとき、代替的に、第1のPUCCHと第2のPUCCHは同じ周波数領域リソースを多重化し得、第1のPUCCHと第3のPUCCHは同じ周波数領域リソースを多重化し得、それにより周波数領域リソースの使用率を改善する。
【００２９】
第1の態様から第4の態様では、第1のPUCCHの周波数ホッピング規則は、以下の規則のうちの1つを含む。
【００３０】
規則1：index2＝f（n＿BWP，index1）＋offset、ここで
f（n＿BWP，index1）はミラー関数またはステップ関数を表し、index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、n＿BWPはUEによって使用されるBWPに含まれるリソースユニットの総数を表し、offsetは第1のPUCCHの周波数領域リソースオフセットを表す。
【００３１】
また、index1が示す周波数領域リソースは、第2のPUCCHの周波数領域リソースと同じであってもよく、index2が示す周波数領域リソースは、第3のPUCCHの周波数領域リソースと同じであってもよい。
【００３２】
規則2：index2＝index1＋offset、ここで
index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを表し、offsetは、第1のPUCCHの周波数領域リソースオフセットを表す。
【００３３】
また、index1が示す周波数領域リソースは、第2のPUCCHの周波数領域リソースと同じであってもよく、index2が示す周波数領域リソースは、第3のPUCCHの周波数領域リソースと同じであってもよい。
【００３４】
規則3：index2＝f（index1，n＿BWP）、ここで
f（index1，n＿BWP）はミラー関数を表し、index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、n＿BWPはUEによって使用されるBWPに含まれるリソースユニットの総数を表す。
【００３５】
また、index1が示す周波数領域リソースは、第2のPUCCHの周波数領域リソースと同じであってもよく、index2が示す周波数領域リソースは、第3のPUCCHの周波数領域リソースと同じであってもよい。
【００３６】
第1の態様から第4の態様では、第1のPUCCHの長さが第2のPUCCHの長さのn倍であり、第2のPUCCHの開始位置または終了位置が第1のPUCCHの周波数ホッピング位置と同じである場合、第1のPUCCHの周波数領域リソースおよび第2のPUCCHの周波数領域リソースは、利用可能な周波数領域リソースにおける周波数領域リソースであり、第1のPUCCHの周波数領域リソースと第2のPUCCHの周波数領域リソースとの間の距離は予め設定された閾値以下であり、ここで第1のPUCCHの長さと第2のPUCCHの長さの両方が2σ、n≧1、σ≧0、σは整数である。
【００３７】
本出願では、第1のPUCCHの長さが第2のPUCCHの長さのn倍であるとき、第1のPUCCHは、第2のPUCCHの周波数領域リソースを多重化することができる。第1のPUCCHの周波数領域リソースと第2のPUCCHの周波数領域リソースとの間の距離が比較的短い場合（具体的には、第1のPUCCHの周波数領域リソースと第2のPUCCHの周波数領域リソースとの間の距離は、予め設定された閾値以下である）、第1のPUCCHの周波数ホッピングプロセスでは、周波数領域リソースの比較的小さいオフセットのみが必要であるため、第2のPUCCHの周波数領域リソースは、第1のPUCCHの第2のホップリソースとしてある程度多重化される。第1のPUCCHの周波数領域リソースオフセットを送信するために基地局によって使用されるDCIのビット数は制限されているため（通常は1または2ビット）、第1のPUCCHの周波数領域リソースと第2のPUCCHの周波数領域リソースは、利用可能な周波数領域リソースの周波数領域リソースであり、第1のPUCCHの周波数領域リソースと第2のPUCCHの周波数領域リソースとの間の距離は、予め設定された閾値以下であり、第1のPUCCHの周波数領域リソースオフセットは比較的小さい場合がある。このようにして、基地局によって送信され、基地局によって第1のPUCCHの周波数領域リソースオフセットを搬送するためのDCIのシグナリングオーバーヘッドは低減されることができる。
【００３８】
第1の態様から第4の態様では、第1のPUCCHの長さが第2のPUCCHの長さのn倍であるとき、第1のPUCCHの周波数領域リソースは、第2のPUCCHの周波数領域リソースと同じであり、第1のPUCCHの長さと第2のPUCCHの長さの両方が2σ、n≧1、σ≧0、σは整数である。
【００３９】
本出願では、第1のPUCCHの長さが第2のPUCCHの長さのn倍であるため、第1のPUCCHは、第2のPUCCHの周波数領域リソースを多重化することができる。これに基づいて、第1のPUCCHの周波数領域リソースおよび第2のPUCCHの周波数領域リソースは、同じ周波数領域リソースに構成される。このようにして、第1のPUCCHおよび第2のPUCCHは、同じ周波数領域リソースを多重化することができるため、PUCCHの周波数領域リソースの多重比を増加させることができる。
【００４０】
第5の態様によれば、基地局が提供される。基地局は、プロセッサと、プロセッサに結合されたメモリとを含み得る。メモリは、コンピュータ命令を格納するように構成され得る。基地局が起動すると、プロセッサはメモリに格納されたコンピュータ命令を実行し、その結果、基地局は第1の態様および第1の態様のオプションの実装のいずれかによるアップリンク制御チャネルリソース構成方法を実行する。
【００４１】
第6の態様によれば、コンピュータ可読記憶媒体が提供される。コンピュータ可読記憶媒体は、コンピュータ命令を含むことができ、コンピュータ命令が基地局で実行されると、基地局は、第1の態様および第1の態様のオプションの実装のいずれかによるアップリンク制御チャネルリソース構成方法を実行することが可能になる。
【００４２】
第7の態様によれば、コンピュータ命令を含むコンピュータプログラム製品が提供される。コンピュータプログラム製品が基地局で実行されると、基地局は、第1の態様および第1の態様のオプションの実装のいずれかによるアップリンク制御チャネルリソース構成方法を実行することが可能になる。
【００４３】
第8の態様によれば、基地局が提供される。基地局はチップの製品形態で存在する。装置の構造は、プロセッサおよびメモリを含む。メモリは、プロセッサに結合されるように構成される。メモリは、コンピュータ命令を格納するように構成され得る。プロセッサは、メモリに格納されたコンピュータ命令を実行するように構成されているため、基地局は、第1の態様および第1の態様のオプションの実装のいずれかによるアップリンク制御チャネルリソース構成方法を実行する。
【００４４】
第5の態様から第8の態様の技術的効果の説明については、第1の態様の技術的効果の関連する説明を参照されたい。詳細はここでは再度説明されない。
【００４５】
第9の態様によれば、UEが提供される。UEは、プロセッサと、プロセッサに結合されたメモリとを含み得る。メモリは、コンピュータ命令を格納するように構成され得る。UEが起動すると、プロセッサは、メモリに格納されたコンピュータ命令を実行し、その結果、UEは、第2の態様および第2の態様のオプションの実装のいずれかによるアップリンク制御チャネルリソース構成方法を実行する。
【００４６】
第10の態様によれば、コンピュータ可読記憶媒体が提供される。コンピュータ可読記憶媒体は、コンピュータ命令を含むことができ、コンピュータ命令がUE上で実行されると、UEは、第2の態様および第2の態様のオプションの実装のいずれかによるアップリンク制御チャネルリソース構成方法を実行することが可能になる。
【００４７】
第11の態様によれば、コンピュータ命令を含むコンピュータプログラム製品が提供される。コンピュータプログラム製品がUE上で実行されると、UEは、第2の態様および第2の態様のオプションの実装のいずれかによるアップリンク制御チャネルリソース構成方法を実行することが可能になる。
【００４８】
第12の態様によれば、UEが提供される。UEはチップの製品形態で存在する。装置の構造は、プロセッサおよびメモリを含む。メモリは、プロセッサに結合されるように構成される。メモリは、コンピュータ命令を格納するように構成され得る。プロセッサは、メモリに格納されたコンピュータ命令を実行するように構成されているため、UEは、第2の態様および第2の態様のオプションの実装のいずれかによるアップリンク制御チャネルリソース構成方法を実行する。
【００４９】
第9の態様から第12の態様の技術的効果の説明については、第2の態様の技術的効果の関連する説明を参照されたい。詳細はここでは再度説明されない。
【００５０】
第13の態様によれば、通信システムが提供される。通信システムは、第3の態様および第3の態様のオプションの実装のいずれかにおける基地局と、第4の態様および第4の態様のオプションの実装のいずれかにおけるUEとを含み得る；または
通信システムは、第5の態様における基地局と、第9の態様におけるUEとを含み得る。
【００５１】
第13の態様の関連コンテンツと技術的効果の説明については、関連コンテンツの関連説明と、第1の態様または可能な実装のいずれか、および第2の態様または可能な実装のいずれかの技術的効果を参照されたい。詳細はここでは再度説明されない。
【００５２】
第14の態様によれば、リソース構成方法が提供される。この方法は、基地局によって第1の指示情報をUEに送信するステップを含むことができ、第1の指示情報は、第1のDCIが第1のレイテンシ情報を示すために使用されるフィールドを含むかどうかを示すために使用される。第1のレイテンシ情報は、第1のレイテンシのスロットに関する情報（例えば、UEによって基地局に送信される確認応答データパケットの開始スロットの位置情報）または第1のレイテンシのOFDMシンボルに関する情報（例えば、UEによって基地局に送信される確認応答データパケットの開始OFDMシンボルの位置情報）を含み得る。
【００５３】
第1のレイテンシは、第2の時点と第1の時点との間の時間差である。第1の時点は、UEが基地局によって送信されるデータパケットを受信する時点であり、第2の時点は、UEが基地局によって送信されるデータパケットを受信した後にUEが確認応答データパケットで基地局に応答する時点である。
【００５４】
第14の態様の第1のオプションの実装では、第1の指示情報は、上位層シグナリングを使用して送信され得、上位層シグナリングは、ブロードキャストメッセージ、システムメッセージ、またはRRCメッセージのいずれか1つまたは組み合わせであり得る。あるいは、第1の指示情報は、DCIを使用して送信され得る。例えば、第1の指示情報は、共通物理ダウンリンク制御チャネルに対応するDCI、グループ共通制御チャネルのDCI、またはUEの特定のダウンリンク制御チャネルのDCIの1つまたは組み合わせを使用して送信され得る。
【００５５】
第14の態様の第2のオプションの実装では、第1のDCIが第1のレイテンシ情報を示すために使用されるフィールドを含むことを第1の指示情報が示すとき、それは、基地局が第1のレイテンシ情報を示すために独立したDCIビットを割り当てることを示す。
【００５６】
第14の態様の第3のオプションの実装では、第1のDCIが第1のレイテンシ情報を示すために使用されるフィールドを含まないことを第1の指示情報が示すとき、それは基地局が第1のレイテンシ情報を示すために独立したDCIビットを割り当てないことを示す。この場合、基地局は、上位層シグナリングを使用して、UEの第1のレイテンシ情報を直接構成できる；または、基地局は、一連のPUCCHリソース内のPUCCHリソースを示すDCIを使用して第1のレイテンシ情報を示す、すなわち、基地局は、PUCCHリソースおよび第1のレイテンシ情報を示すために同じDCIビットを使用する；または、DCIビットによって示されるPUCCHリソース情報は、第1のレイテンシ情報を含む。PUCCHリソースは、PUCCHの開始位置、PUCCHの周波数領域リソースオフセットなどのうちの少なくとも1つであり得る。
【００５７】
第15の態様によれば、リソース割り当て方法が提供される。この方法は、基地局によって送信される第1の指示情報をUEによって受信するステップを含むことができ、第1の指示情報は、第1のDCIが第1のレイテンシ情報を示すために使用されるフィールドを含むかどうかを示すために使用される。第1のレイテンシ情報は、第1のレイテンシのスロットに関する情報（例えば、UEによって基地局に送信される確認応答データパケットの開始スロットの位置情報）または第1のレイテンシのOFDMシンボルに関する情報（例えば、UEによって基地局に送信される確認応答データパケットの開始OFDMシンボルの位置情報）を含み得る。
【００５８】
第1のレイテンシは、第2の時点と第1の時点との間の時間差である。第1の時点は、UEが基地局によって送信されるデータパケットを受信する時点であり、第2の時点は、UEが基地局によって送信されるデータパケットを受信した後にUEが確認応答データパケットで基地局に応答する時点である。
【００５９】
第15の態様の第1のオプションの実装では、第1の指示情報は、上位層シグナリングを使用して送信され得、上位層シグナリングは、ブロードキャストメッセージ、システムメッセージ、またはRRCメッセージのいずれか1つまたは組み合わせであり得る。あるいは、第1の指示情報は、DCIを使用して送信され得る。例えば、第1の指示情報は、共通物理ダウンリンク制御チャネルに対応するDCI、グループ共通制御チャネルのDCI、またはUEの特定のダウンリンク制御チャネルのDCIの1つまたは組み合わせを使用して送信され得る。
【００６０】
第15の態様の第2のオプションの実装では、第1のDCIが第1のレイテンシ情報を示すために使用されるフィールドを含むことを第1の指示情報が示すとき、それは、基地局が第1のレイテンシ情報を示すために独立したDCIビットを割り当てることを示す。この場合、第1の指示情報を受信した後、UEは、第1のDCIを直接解析して、第1のレイテンシ情報を取得することができる。
【００６１】
第15の態様の第3のオプションの実装では、第1のDCIが第1のレイテンシ情報を示すために使用されるフィールドを含まないことを第1の指示情報が示すとき、それは基地局が第1のレイテンシ情報を示すために独立したDCIビットを割り当てないことを示す。この場合、UEは、上位層シグナリングを使用して、UEのために基地局によって直接構成される第1のレイテンシ情報を取得することができる；またはUEは、PUCCHリソースを示すために使用されるDCIを解析し（DCIはPUCCHリソースと第1のレイテンシ情報の両方を示す）、次にDCIに基づいて、上位層のシグナリングを使用してUEの基地局によって構成された一連のリソースに基づいて第1のレイテンシ情報を決定する。
【００６２】
第16の態様によれば、基地局が提供される。基地局は、プロセッサと、プロセッサに結合されたメモリとを含み得る。メモリは、コンピュータ命令を格納するように構成され得る。基地局が起動すると、プロセッサはメモリに格納されたコンピュータ命令を実行するので、基地局は、第14の態様および第14の態様のオプションの実装のいずれかでリソース構成方法を実行する。
【００６３】
第17の態様によれば、コンピュータ可読記憶媒体が提供される。コンピュータ可読記憶媒体は、コンピュータ命令を含むことができ、コンピュータ命令が基地局で実行されると、基地局は、第14の態様および第14の態様のオプションの実装のいずれかでリソース構成方法を実行することが可能になる。
【００６４】
第18の態様によれば、コンピュータ命令を含むコンピュータプログラム製品が提供される。コンピュータプログラム製品が基地局で実行されると、基地局は、第14の態様および第14の態様のオプションの実装のいずれかでリソース構成方法を実行することが可能になる。
【００６５】
第19の態様によれば、基地局が提供される。基地局はチップの製品形態で存在する。装置の構造は、プロセッサおよびメモリを含む。メモリは、プロセッサに結合されるように構成される。メモリは、コンピュータ命令を格納するように構成され得る。プロセッサは、メモリに格納されたコンピュータ命令を実行するように構成されているため、基地局は、第14の態様および第14の態様のオプションの実装のいずれかでリソース構成方法を実行する。
【００６６】
第20の態様によれば、UEが提供される。UEは、プロセッサと、プロセッサに結合されたメモリとを含み得る。メモリは、コンピュータ命令を格納するように構成され得る。UEが起動すると、プロセッサはメモリに格納されたコンピュータ命令を実行するので、UEは、第15の態様および第15の態様のオプションの実装のいずれかでリソース構成方法を実行する。
【００６７】
第21の態様によれば、コンピュータ可読記憶媒体が提供される。コンピュータ可読記憶媒体は、コンピュータ命令を含むことができ、コンピュータ命令がUE上で実行されると、UEは、第15の態様および第15の態様のオプションの実装のいずれかでリソース構成方法を実行することが可能になる。
【００６８】
第22の態様によれば、コンピュータ命令を含むコンピュータプログラム製品が提供される。コンピュータプログラム製品がUE上で実行されると、UEは、第15の態様および第15の態様のオプションの実装のいずれかでリソース構成方法を実行することが可能になる。
【００６９】
第23の態様によれば、UEが提供される。UEはチップの製品形態で存在する。装置の構造は、プロセッサおよびメモリを含む。メモリは、プロセッサに結合されるように構成される。メモリは、コンピュータ命令を格納するように構成され得る。プロセッサは、メモリに格納されたコンピュータ命令を実行するように構成されているため、UEは、第15の態様および第15の態様のオプションの実装のいずれかでリソース構成方法を実行する。
【図面の簡単な説明】
【００７０】
【図１】本発明の一実施形態による周波数ホッピングの概略図である。
【図２】本発明の一実施形態による時間周波数リソースの概略図である。
【図３】本発明の一実施形態による通信システムの概略構成図である。
【図４】本発明の一実施形態による基地局のハードウェアの概略図である。
【図５】本発明の一実施形態による携帯電話のハードウェアの概略図である。
【図６】本発明の一実施形態によるアップリンク制御チャネルリソース構成方法の概略図である。
【図７】本発明の一実施形態による周波数領域リソースの多重化の概略図である。
【図８】本発明の一実施形態による、PUCCHの周波数ホッピングの概略図である。
【図９（ａ）】本発明の一実施形態による、PUCCHの周波数ホッピング位置の概略図である。
【図９（ｂ）】本発明の一実施形態による、PUCCHの周波数ホッピング位置の概略図である。
【図１０】本発明の一実施形態による基地局の概略構成図1である。
【図１１】本発明の一実施形態による基地局の概略構成図2である。
【図１２】本発明の一実施形態によるUEの概略構成図1である。
【図１３】本発明の一実施形態によるUEの概略構成図2である。
【発明を実施するための形態】
【００７１】
本明細書における「および／または」という用語は、関連オブジェクトを記述するための関連関係のみを記述し、3つの関係が存在し得ることを表す。例えば、Aおよび／またはBは、Aのみが存在する場合、AとBの両方が存在する場合、Bのみが存在する場合、の3つの場合を表すことができる。
【００７２】
本発明の実施形態における明細書および特許請求の範囲において、「第1」、「第2」などの用語は、異なるオブジェクトを区別することを意図しており、オブジェクトの特定の順序を示すものではない。例えば、第1のPUCCH、第2のPUCCHなどは、異なるPUCCHを区別するために使用されるが、PUCCHの特定の順序を説明するためには使用されない。
【００７３】
本発明の実施形態における「例」、「例えば」などの用語は、例、図、または説明を与えることを表すために使用される。本発明の実施形態において「例」または「例えば」として説明される実施形態または設計スキームは、別の実施形態または設計スキームよりも好ましいまたはより多くの利点を有するとして説明されるべきではない。正確には、「例」、「例えば」などの単語の使用は、関連する概念を特定の方法で説明することを目的としている。
【００７４】
本発明の実施形態の説明において、特に断りのない限り、「複数の」とは2つ以上を意味する。例えば、複数の処理ユニットは2つ以上の処理ユニットを意味し、複数のシステムは2つ以上のシステムを意味する。
【００７５】
本発明の実施形態で提供されるアップリンク制御チャネルリソース構成方法および装置におけるいくつかの概念が最初に説明される。
【００７６】
帯域幅部分はBWPと呼ばれる。5Gシステム、4G以降のシステム、またはLTE後のシステムでは、複数のBWPがサポートされることができる。具体的には、1つのシステム帯域幅が複数のBWP（複数の狭帯域幅とみなすことができる）に分割され得、UEの動作帯域幅を1つのBWPとすることができる。例えば、UEが動作するセルの合計帯域幅（システム帯域幅と呼ばれることがある）は100M（メガヘルツ）であり、UEによってサポートされる動作帯域幅は比較的小さく、例えば20Mであり得る。この場合、セルにサービスを提供する基地局について、基地局は、100Mの帯域幅から20MをUEの動作帯域幅として割り当てることができ、動作帯域幅は、BWPまたはキャリアBWPと呼ばれることがある。BWPとキャリアBWPの物理的な意味は同じである。例えば、100Mのシステム帯域幅の場合、100Mのシステム帯域幅は、数秘術（numerology）（サブキャリア間隔、シンボル長、シンボルのサイクリックプレフィックスの長さなど、一連のパラメーターを含む）に基づいて、20MのBWP1、30MのBWP2、および50MのBWP3に分割され得る。
【００７７】
時間領域リソースと周波数領域リソース（時間周波数リソース）：5Gシステムでは、時間領域リソースは、直交周波数分割多重（orthogonal frequency division multiplexing，OFDM）シンボル、スロット（slot）、サブフレーム、フレーム、ミニフレーム、ミニスロットなどで測定され；そして、周波数領域リソースは、サブキャリア、サブバンド、リソース要素、リソース要素グループ、特定量のリソース要素などで測定される。例えば、図2は、時間周波数リソースの概略図である。図2の例では、時間領域において、1つのスロットは7つのOFDMシンボルを含み（1つのスロットに含まれるOFDMシンボルの量はサブキャリア間隔の値に関連する）、または1つのスロットは14個のOFDMシンボルを含む。図2では、各列は1つのOFDMシンボルを表す。周波数領域では、サブバンドは複数のサブキャリアを含む。図2では、各行は1つのサブキャリアを表す。図2に示すように、REリソース要素（resource element，RE）は、時間領域では1つのOFDMシンボルに対応し、周波数領域では1つのサブキャリアに対応する。リソースブロック（resource block，RB）は、時間領域では限られた量のOFDMシンボルに対応する（例えば、7つのOFDMシンボルに対応する）スロットに対応し、周波数領域では12個の連続するサブキャリアに対応する。
【００７８】
本発明の実施形態では、UEのBWPの帯域幅は、複数のリソースユニットに均等に分割される（例えば、リソースユニットはRBである）。BWPは100個のRBに分割されていると仮定する。これに対応して、周波数領域では、各RBのインデックスは周波数領域リソースを示し得る。
【００７９】
周波数ホッピングとは、デバイスが動作する周波数領域リソースが変化することを意味する。例としてUEのPUCCHが使用される。PUCCHは、1つのスロット内の2つの異なる周波数領域リソースで動作する。PUCCH（すなわち、PUCCHによって占有されるOFDMシンボル）の長さは8であると仮定する。PUCCHの一部（例えば、最初の4つのOFDMシンボル）は、第1の周波数領域リソースで動作し得、PUCCHの他の部分（例えば、最後の4つのOFDMシンボル）は、第2の周波数領域リソースで動作する。この場合、PUCCHの周波数ホッピングは1つのスロットで発生する。PUCCHが第1の周波数領域リソースで動作することは第1のホップと呼ばれ、PUCCHが第2の周波数領域リソースで動作することは第2のホップと呼ばれる。第1の周波数領域リソースおよび第2の周波数領域リソースは、ホップリソースと呼ばれることがある。PUCCHの周波数領域が変化するOFDMシンボルの位置は、周波数ホッピング位置と呼ばれ、周波数ホッピング位置は、時間領域位置である。例えば、第4のOFDMシンボルの終了位置または第5のOFDMシンボルの開始位置で周波数ホッピングが発生する場合、第4のOFDMシンボルの終了位置または第5のOFDMシンボルの開始位置は、周波数ホッピング位置と呼ばれることがある。
【００８０】
背景で説明された問題に基づいて、本発明の実施形態で提供されるアップリンク制御チャネルリソース構成方法では、基地局は、UEのPUCCHの周波数領域リソースを構成して、UEのアップリンクチャネル全体の周波数領域リソースの使用率を改善する。
【００８１】
本発明の実施形態で提供されるアップリンク制御チャネルリソース構成方法および装置は、ワイヤレス通信システムに適用され得る。ワイヤレス通信システムは、LTEシステム、LTEアドバンスト（LTE−Advanced，LTE−A）システム、NRシステム（すなわち、5Gシステム）などであり得る。例えば、本発明の実施形態で提供されるワイヤレス通信システムは、NRシステムである。図3は、本発明の一実施形態によるNRシステムの概略構成図である。図3において、NRシステムは、基地局20およびUE21を含む。基地局20は、ダウンリンクチャネル（PDCCHおよびPDSCHを含む）またはアップリンクチャネル（PUCCHおよびPUSCH）を通じてUE21と通信することができる。本発明の実施形態で提供されるアップリンク制御チャネルリソース構成方法は、PUCCHの周波数領域リソースを構成するために使用される。
【００８２】
本発明のこの実施形態で提供される基地局は、一般的に使用される基地局、進化型ノード基地局（evolved node base station，eNB）、NRシステムのネットワークデバイス（例えば、次世代ノード基地局（next generation node base station，gNB）、または新しい無線基地局（new radio eNB）、マクロ基地局、マイクロ基地局、高周波基地局、送受信ポイント（transmission and reception point，TRP）などであってもよい。例えば、本発明のこの実施形態では、ネットワークデバイスのハードウェア構造を説明するために、一般的に使用される基地局が例として使用される。以下では、本発明のこの実施形態における基地局の様々なコンポーネントについて、図4を参照して詳細に説明する。図4に示すように、本発明のこの実施形態で提供される基地局は、部分30および部分31を含むことができる。部分30は、主に無線周波数信号を送受信し、無線周波数信号とベースバンド信号との間の変換を実行するように構成される。部分31は、主にベースバンド処理や基地局の制御などを行うように構成される。部分30は、通常、トランシーバユニット、トランシーバ、トランシーバ回路、トランシーバなどと呼ばれてもよい。部分31は、通常、基地局の制御センターであり、通常、処理ユニットと呼ばれてもよく、図4の基地局によって実行されるステップを実行するように基地局を制御するように構成される。詳細については、前述の関連部分の説明を参照されたい。
【００８３】
部分30のトランシーバユニットはまた、トランシーバ、トランシーバなどと呼ばれることがあり、アンテナおよび無線周波数ユニットを含む。無線周波数ユニットは、主に高周波処理を行うように構成される。任意選択で、部分30では、受信機能を実装するように構成されたコンポーネントが受信ユニットとして見なされることができ、送信機能を実装するように構成されたコンポーネントが送信ユニットとして見なされることができる。つまり、部分30は、受信ユニットと送信ユニットとを含む。受信ユニットはまた、受信機、受信機、受信機回路などと呼ばれることもある。送信ユニットは、送信機、送信機、送信機回路などと呼ばれることもある。
【００８４】
部分31は、1つまたは複数のボードを含み得る。各ボードは、1つまたは複数のプロセッサと1つまたは複数のメモリを含み得る。プロセッサは、メモリ内のプログラムを読み取って実行し、ベースバンド処理機能を実装して基地局を制御するように構成される。ボードが複数ある場合は、ボードは相互に接続されて処理能力を高めることができる。オプションの実装では、複数のボードが1つまたは複数のプロセッサを代替的に共有し得るか、複数のボードが1つまたは複数のメモリを共有するか、または複数のボードが1つまたは複数のプロセッサを同時に共有する。メモリおよびプロセッサは、一緒に統合されてもよく、または独立して配置されてもよい。いくつかの実施形態では、部分30および部分31は、一緒に統合されてもよく、または独立して配置されてもよい。また、部分31のすべての機能は、実装のために1つのチップに統合されてもよい；または、一部の機能は実装のために1つのチップに統合されてもよく、他の機能は実装のために1つまたは複数の他のチップに統合される。これは、本発明の実施形態において限定されない。
【００８５】
本発明のこの実施形態で提供されるUEは、携帯電話、タブレットコンピュータ、ノートブックコンピュータ、ウルトラモバイルパーソナルコンピュータ（ultra−mobile personal computer，UMPC）、ネットブックまたはパーソナルデジタルアシスタント（personal digital assistant，PDA）、スマートカー、センサデバイス、モノのインターネット（internet of things，IoT）デバイス、顧客宅内機器（customer premise equipment，CPE）などであってもよい。
【００８６】
例えば、本発明のこの実施形態では、UEが携帯電話である例が使用されて、UEのハードウェア構造を説明する。以下、図5を参照して、本発明のこの実施形態における携帯電話の様々なコンポーネントを詳細に説明する。図5に示すように、本発明のこの実施形態で提供される携帯電話は、プロセッサ40、無線周波数（radio frequency，RF）回路41、電源42、メモリ43、入力ユニット44、表示ユニット45、およびオーディオ回路46などのコンポーネントを含む。当業者は、図5に示される携帯電話の構造は携帯電話に対する制限を構成せず、携帯電話は図5に示されるものよりも多いまたは少ないコンポーネントを含み得、または図5に示されるコンポーネントのいくつかの組み合わせを含み得、または図5に示されるものとは異なって配置されたコンポーネントを含み得ることを理解し得る。
【００８７】
プロセッサ40は、携帯電話の制御センターであり、様々なインタフェースおよび回線を通じて携帯電話全体の様々な部分を接続する。携帯電話の様々な機能およびデータ処理は、メモリ43に格納されたソフトウェアプログラムおよび／またはモジュールを実行すること、およびメモリ43に格納されたデータを呼び出すことによって実行され、携帯電話の全体的な監視を行う。任意選択で、プロセッサ40は1つまたは複数の処理ユニットを含み得る。任意選択で、アプリケーションプロセッサおよびモデムプロセッサはプロセッサ40に統合されてもよい。アプリケーションプロセッサは、オペレーティングシステム、ユーザインタフェース、アプリケーションプログラムなどを主に処理し、モデムプロセッサは、ワイヤレス通信を主に処理する。あるいは、モデムプロセッサは、プロセッサ40とは別に存在するプロセッサであってもよいことが理解され得る。
【００８８】
RF回路41は、情報受信／送信プロセスまたは通話プロセスにおいて信号を送信および受信するように構成され得る。例えば、基地局からダウンリンク情報を受信した後、RF回路41は、ダウンリンク情報を処理のためにプロセッサ40に送信し、アップリンクデータを基地局に送信する。一般に、RF回路は、通常、少なくとも1つの増幅器、トランシーバ、カプラ、低雑音増幅器（low noise amplifier，LNA）、デュプレクサなどを含むがこれらに限定されない。また、携帯電話は、RF回路41を使用して、ネットワーク内の別のデバイスとのワイヤレス通信をさらに実装することができる。モバイル通信のグローバルシステム（global system of mobile communication，GSM（登録商標））、一般的なパケットラジオサービス（general packet radio service，GPRS）、コード分割多重アクセス（code division multiple access，CDMA）、広帯域コード分割多重アクセス（wideband code division multiple access，WCDMA（登録商標））、LTE、電子メール、ショートメッセージサービス（short messaging service，SMS）などを含むがこれらに限定されない、任意の通信規格またはプロトコルがワイヤレス通信に使用され得る。
【００８９】
電源42は、携帯電話の各コンポーネントに電力を供給するように構成されてもよく、電源42は、電池であってもよい。任意選択で、電源は、電力管理システムを使用することによって充電管理、放電管理、および電力消費管理などの機能を実装するために、電力管理システムを使用することによってプロセッサ40に論理的に接続され得る。
【００９０】
メモリ43は、ソフトウェアプログラムおよび／またはモジュールを格納するように構成され得る。プロセッサ40は、携帯電話の各種機能アプリケーションを実行し、メモリ43に格納されたソフトウェアプログラムおよび／またはモジュールを実行することによりデータを処理する。メモリ43は、主にプログラム記憶領域とデータ記憶領域とを含むことができる。プログラム記憶領域は、オペレーティングシステム、少なくとも1つの機能（オーディオ再生機能または画像再生機能など）に必要なアプリケーションプログラムなどを格納することができる。データ記憶領域は、携帯電話の用途などに基づいて作成されたデータ（オーディオデータ、画像データ、またはアドレス帳など）を格納することができる。さらに、メモリ43は、高速ランダムアクセスメモリを含むことができ、不揮発性メモリ、例えば、少なくとも1つの磁気ディスク記憶デバイス、フラッシュメモリデバイス、または他の揮発性固体記憶デバイスを含むことができる。
【００９１】
入力ユニット44は、入力された数字または文字情報を受け取り、ユーザ設定および携帯電話の機能制御に関連するキー信号入力を生成するように構成され得る。具体的には、入力ユニット44は、タッチスクリーン441および他の入力デバイス442を含み得る。タッチパネルとも呼ばれるタッチスクリーン441は、タッチスクリーン441上またはタッチスクリーン441の近くでのタッチ操作（例えば、タッチスクリーン441上またはタッチスクリーン441の近くで指やスタイラスなどの適切なオブジェクトまたはアクセサリを用いてユーザによって行われた操作）を収集して、プリセットプログラムに基づいて対応する接続装置を駆動することができる。任意選択で、タッチスクリーン441は、タッチ検出装置とタッチコントローラとの2つの部分を含むことができる。タッチ検出装置は、ユーザのタッチの向きを検出し、タッチ操作により生成された信号を検出して、その信号をタッチコントローラに転送する。タッチコントローラは、タッチ検出装置からタッチ情報を受信し、そのタッチ情報をタッチ座標に変換し、次いでタッチ座標をプロセッサ40に送信し、プロセッサ40によって送信されたコマンドを受信して実行することができる。また、タッチスクリーン441は、抵抗膜方式、静電容量方式、赤外線方式、表面弾性波方式などの複数の方式で実現されてもよい。他の入力デバイス442は、物理的キーボード、機能キー（音量制御キーおよびパワーオン／オフキーなど）、トラックボール、マウス、ジョイスティックなどの1つまたは複数を含み得るがこれらに限定されない。
【００９２】
表示ユニット45は、ユーザによって入力された情報またはユーザに提供された情報と携帯電話の多様なメニューを表示するように構成され得る。表示ユニット45は表示パネル451を含むことができる。任意選択で、表示パネル451は、液晶ディスプレイ（liquid crystal display，LCD）、有機発光ダイオード（organic light−emitting diode，OLED）などの形態で構成されてもよい。また、タッチスクリーン441が表示パネル451を覆っていてもよい。タッチスクリーン441上またはその近くでのタッチ操作を検出した後、タッチスクリーン441はタッチイベントの種類を判断するためにタッチ操作をプロセッサ40に転送する。その後、プロセッサ40は、タッチイベントの種類に基づいて対応する視覚的出力を表示パネル451に提供する。図5では、タッチスクリーン441と表示パネル451は、携帯電話の入出力機能を実装するために独立した2つのコンポーネントとして機能する。ただし、いくつかの実施形態では、タッチスクリーン441および表示パネル451は、携帯電話の入出力機能を実装するために統合されてもよい。
【００９３】
オーディオ回路46、スピーカ461、およびマイクロフォン462は、ユーザと携帯電話との間のオーディオインタフェースを提供するように構成される。一態様では、オーディオ回路46は、受信したオーディオデータを電気信号に変換し、その電気信号をスピーカ461に伝送することができ、スピーカ461はその電気信号を音声信号に変換して出力する。別の態様では、マイクロフォン462は、収集された音声信号を電気信号に変換し；オーディオ回路46は、電気信号を受信し、電気信号をオーディオデータに変換し、その後プロセッサ40を使用してオーディオデータをRF回路41に出力し、その結果、オーディオデータは、例えば、別の携帯電話に送信されるか、またはプロセッサ40を使用して、オーディオデータをさらなる処理のためにメモリ43に出力する。
【００９４】
任意選択で、図5に示す携帯電話は、様々なセンサ、例えば、ジャイロスコープセンサ、湿度計センサ、赤外線センサ、および磁力計センサをさらに含むことができる。詳細はここでは説明されない。
【００９５】
任意選択で、図5に示す携帯電話は、Wi−Fiモジュール、ブルートゥース（登録商標）モジュールなどをさらに含むことができる。詳細はここでは説明されない。
【００９６】
図3を参照すると、図6に示すように、本発明のこの実施形態で提供されるアップリンク制御チャネルリソース構成方法は、S101〜S104を含むことができる。
【００９７】
S101．基地局は、リソース構成情報を決定し、リソース構成情報は、第1のPUCCHの第1のホップリソース、第1のPUCCHの周波数領域リソースオフセット、および／またはUEによって使用されるBWPの帯域幅を含み、第1のPUCCHは、UEのPUCCHである。
【００９８】
NRシステムでは、基地局およびUEは、OFDMシンボルを使用して、周波数帯域（すなわち、周波数領域リソース）で情報を送信または受信することができる。OFDMシンボルは、時間領域での伝送リソース単位であり、周波数領域リソース（リソース要素、リソースブロックなどを含む）は、周波数領域での伝送リソースである。周波数領域では、UEのPUCCHは1つのスロットで異なる周波数領域リソースを使用できる（つまり、PUCCHで周波数ホッピングが発生する可能性がある）。第1のPUCCHが1つのスロットで2つの異なる周波数領域リソースを使用する場合、つまり、第1のPUCCHの周波数ホッピングが1回発生する場合、第1のPUCCHの周波数ホッピング前の周波数領域リソースは第1のホップリソースと呼ばれ、第1のPUCCHの周波数ホッピング後の周波数領域リソースは第2のホップリソースと呼ばれる。
【００９９】
1つのスロットにおける第1のPUCCHの周波数ホッピングは、PUCCHの伝送品質をある程度改善できることが理解され得る。例えば、第1のホップリソースでは、PUCCHの伝送品質が比較的低い可能性があり、第1のPUCCHは周波数ホッピングを通じて第2のホップリソースを使用し、第2のホップリソースで第1のPUCCHの伝送品質が改善される。言い換えれば、第1のPUCCHは、周波数ダイバーシティ利得を取得し得る。
【０１００】
本発明のこの実施形態では、基地局は、アップリンク情報を伝送するためにUEによって使用されるリソースを、UEのために構成することができる。例えば、基地局は、UEのPUCCH（すなわち、第1のPUCCH）の長さ、第1のPUCCHの開始位置、第1のPUCCHの周波数領域リソースなどをUEに割り当てることができる。また、第1のPUCCHの周波数ホッピングが1回発生すると、基地局は、第1のPUCCHの周波数ホッピングに使用されるリソース構成情報を決定することができる。具体的には、基地局は、第1のPUCCHの第1のホップリソース、第1のPUCCHの周波数領域リソースオフセット、および／またはUEによって使用されるBWPの帯域幅を決定することができる。
【０１０１】
第1のPUCCHの周波数領域リソースオフセットおよび／またはUEによって使用されるBWPの帯域幅は、第1のPUCCHの第2のホップリソースを決定するために使用され得る。
【０１０２】
任意選択で、本発明のこの実施形態では、リソース構成情報は、第1のPUCCHの周波数ホッピング位置および／または第1のPUCCHの周波数ホッピング規則をさらに含むことができ、すなわち、基地局は、第1のPUCCHの周波数ホッピング位置および／または第1のPUCCHの周波数ホッピング規則をUEに送信することができる（これは、基地局がUEのための第1のPUCCHの周波数ホッピング位置および／または第1のPUCCHの周波数ホッピング規則を構成すると理解され得る）。
【０１０３】
本発明のこの実施形態では、基地局が第1のPUCCHの周波数ホッピング位置および／または第1のPUCCHの周波数ホッピング規則をUEに送信すると、基地局は、明示的または暗黙的に、第1のPUCCHの周波数ホッピング位置および／または第1のPUCCHの周波数ホッピング規則をUEに送信することができる。
【０１０４】
任意選択で、本発明のこの実施形態では、第1のPUCCHの周波数ホッピング位置および／または第1のPUCCHの周波数ホッピング規則は、UE上で事前構成され得る。例えば、基地局およびUEは、プロトコルに従って、第1のPUCCHの周波数ホッピング位置および／または第1のPUCCHの周波数ホッピング規則について合意する。
【０１０５】
S102．基地局は、リソース構成情報をUEに送信する。
【０１０６】
S103．UEは、リソース構成情報を取得する。
【０１０７】
本発明のこの実施形態では、UEがリソース構成情報を取得することは、具体的には以下を含み得る：UEは、基地局によって送信されるリソース構成情報を受信する。
【０１０８】
S101におけるリソース構成の説明を参照すると、本発明のこの実施形態では、リソース構成情報は、第1のPUCCHの周波数ホッピング位置および／または第1のPUCCHの周波数ホッピング規則をさらに含み得る。
【０１０９】
本発明のこの実施形態では、第1のPUCCHの周波数ホッピング位置および／または第1のPUCCHの周波数ホッピング規則が、UEに事前構成されている（例えば、プロトコルで指定されている）場合、UEは、UEにローカルに格納される第1のPUCCHの周波数ホッピング位置および／または第1のPUCCHの周波数ホッピング規則を取得する。
【０１１０】
本発明のこの実施形態では、第1のPUCCHの周波数ホッピング位置は、第2のPUCCHの終了位置または第3のPUCCHの開始位置であってもよく、第2のPUCCHおよび第3のPUCCHは、時間領域で連続するPUCCHである。
【０１１１】
第1のPUCCHの長さ、第2のPUCCHの長さ、および第3のPUCCHの長さは、以下の条件のうちの1つを満たす。
【０１１２】
条件1：第1のPUCCHの長さは、第2のPUCCHの長さと第3のPUCCHの長さの合計である。
【０１１３】
例えば、第1のPUCCHがxのOFDMシンボルを占有し、第2のPUCCHがy1のOFDMシンボルを占有し、第2のPUCCHがy2のOFDMシンボルを占有する場合、x＝y1＋y2となり、y1はy2と等しくても等しくなくてもよい。
【０１１４】
図7に示すように、第1のPUCCHは8つのOFDMシンボルを占有し、第2のPUCCHは4つのOFDMシンボルを占有し、第3のPUCCHも4つのOFDMシンボルを占有する。図7に示すように、第1のPUCCHは第1のホップで第2のPUCCHの周波数領域リソースを多重化でき、第1のPUCCHは第2のホップで第3のPUCCHの周波数領域リソースを多重化できることが分かる。
【０１１５】
本発明のこの実施形態では、第1のPUCCHの長さが第2のPUCCHの長さと第3のPUCCHの長さの合計である場合、第2のPUCCHの終了位置または第3のPUCCHの開始位置において第1のPUCCHで周波数ホッピングが発生する。したがって、第1のホップで第1のPUCCHによって使用される周波数領域リソースは、第2のPUCCHの周波数領域リソースと同じである、すなわち、第1のPUCCHは、第1のホップで第2のPUCCHの周波数領域リソースを多重化し得る；そして、第2のホップで第1のPUCCHによって使用される周波数領域リソースは、第3のPUCCHの周波数領域リソースと同じである、すなわち、第1のPUCCHは、第2のホップで第3のPUCCHの周波数領域リソースを多重化し得る。このようにして、異なるPUCCHが同じ周波数領域リソースを多重化し得る。周波数領域リソースの多重化の観点から、周波数領域リソースの使用率が改善されることができる。
【０１１６】
条件2：第1のPUCCHの長さは、第2のPUCCHの長さの整数倍と第3のPUCCHの長さの整数倍の合計である。
【０１１７】
例えば、第1のPUCCHがxのOFDMシンボルを占有し、第2のPUCCHがy1のOFDMシンボルを占有し、第2のPUCCHがy2のOFDMシンボルを占有する場合、x＝a＊y1＋b＊y2となり、aとbは両方とも正の整数である。例えば、xが12個のOFDMシンボルを表し、y1が4つのOFDMシンボルを表し、y2が8つのOFDMシンボルを表す場合、第1のPUCCHの長さは2つの第2のPUCCHの長さと2つの第3のPUCCHの長さの合計である。
【０１１８】
同様に、第1のPUCCHの長さ、第2のPUCCHの長さ、および第3のPUCCHの長さが上記の条件2を満たす場合、代替的に、第1のPUCCHおよび第2のPUCCHは、同じ周波数領域リソースを多重化することができ、第1のPUCCHおよび第3のPUCCHは、同じ周波数領域リソースを多重化することができ、それにより、周波数領域リソースの使用率を改善する。
【０１１９】
本発明のこの実施形態では、第2のPUCCHは、特定のUE（第1のUEと呼ばれることがある）のPUCCHであってもよく、または別のUEのPUCCHであってもよく、第3のPUCCHは、第1のUEのPUCCHであってもよく、または別のUEのPUCCHであってもよい。具体的には、基地局は、実際の状況に従って、UEと同じ周波数領域リソースを多重化する第2のPUCCHおよび第3のPUCCHを選択することができる。これは、本発明のこの実施形態では限定されない。
【０１２０】
本発明のこの実施形態では、第1のPUCCHの周波数ホッピング規則は、第1のPUCCHの第2のホップリソースを決定する以下のプロセスで詳細に説明される。
【０１２１】
S104．UEは、リソース構成情報に基づいて、第1のPUCCHの第2のホップリソースを決定する。
【０１２２】
本発明のこの実施形態では、UEは、第1のPUCCHの第1のホップリソース、第1のPUCCHの周波数領域リソースオフセット、および／またはUEによって取得されたリソース構成情報内のUEによって使用されるBWPの帯域幅に基づいて、第1のPUCCHの第2のホップリソースを決定することができ、その結果、第1のホップリソースおよび第2のホップリソースに基づいて、特定の周波数ホッピング位置で、第1のPUCCH上で周波数ホッピングが発生する。このようにして、基地局は、UEのPUCCHのための周波数領域リソースを柔軟に構成することができ、その結果、第1のPUCCHは構成された周波数領域リソースを使用し、別の周波数領域リソースがPUSCHのために使用され得る。これにより、周波数領域リソースの使用率をある程度改善できる。
【０１２３】
任意選択で、図6を参照すると、本発明のこの実施形態では、基地局がリソース構成情報をUEに送信するプロセスにおいて、基地局は、複数の方式で第1のPUCCHの周波数領域リソースオフセットをUEに送信することができる。具体的には、基地局は、以下の方式P1からP7のいずれか1つで、第1のPUCCHの周波数領域リソースオフセットをUEに送信することができる。
【０１２４】
P1．基地局は、ブロードキャストメッセージ、システムメッセージ、またはRRCシグナリングを使用して、第1のPUCCHの周波数領域リソースオフセットをUEに送信する。
【０１２５】
本発明のこの実施形態では、基地局が第1のPUCCHの周波数領域リソースオフセットを決定した後、基地局は、ブロードキャストメッセージ、システムメッセージ、またはRRCシグナリングで第1のPUCCHの周波数領域リソースオフセットを運び、ブロードキャストメッセージ、システムメッセージ、またはRRCシグナリングをUEに送信することができる。
【０１２６】
P2．基地局は、DCIを使用して、第1のPUCCHの周波数領域リソースオフセットをUEに送信する。
【０１２７】
本発明のこの実施形態では、基地局が第1のPUCCHの周波数領域リソースオフセットを決定した後、基地局は、DCIで第1のPUCCHの周波数領域リソースオフセットを運び、DCIをUEに送信することができる。
【０１２８】
P3．基地局は、MAC CEを使用して、第1のPUCCHの周波数領域リソースオフセットをUEに送信する。
【０１２９】
本発明のこの実施形態では、基地局が第1のPUCCHの周波数領域リソースオフセットを決定した後、基地局は、MAC CEにおいて第1のPUCCHの周波数領域リソースオフセットを運び、MAC CEをUEに送信することができる。
【０１３０】
P4．基地局は、ブロードキャストメッセージ、システムメッセージ、またはRRCシグナリングを使用して、一連の周波数領域リソースオフセットをUEに送信し、DCIを使用して、第1のPUCCHの周波数領域リソースオフセットの指示情報をUEに送信する。
【０１３１】
一連の周波数領域リソースオフセットは、少なくとも1つの候補周波数領域リソースオフセットを含む。
【０１３２】
P5．基地局は、ブロードキャストメッセージ、システムメッセージ、またはRRCシグナリングを使用して一連の周波数領域リソースオフセットをUEに送信し、MAC CEを使用して第1のPUCCHの周波数領域リソースオフセットの指示情報をUEに送信する。
【０１３３】
一連の周波数領域リソースオフセットは、少なくとも1つの候補周波数領域リソースオフセットを含む。
【０１３４】
本発明のこの実施形態では、基地局は、代替的に、最初に、P4またはP5の方式でUEの一連の周波数領域リソースオフセットをUEに送信し、次に、UEに指示情報を送信して、一連の周波数領域リソースオフセットから、指示情報で示される周波数領域リソースオフセットを選択するようにUEに指示することができる。このようにして、基地局が次回に周波数領域リソースオフセットをUEに送信する場合、基地局は、DCIまたはMAC CEを使用して、周波数領域リソースオフセットの特定のコンテンツを送信する必要はなく、第1のPUCCHの周波数領域リソースオフセットの指示情報をUEに直接送信することができる。このようにして、リソース構成情報を送信するための伝送リソースを節約することができる。
【０１３５】
P6．基地局は、DCIを使用して、第1のPUCCHの周波数領域リソースオフセットの指示情報をUEに送信する。
【０１３６】
第1のPUCCHの周波数領域リソースオフセットの指示情報は、一連の周波数領域リソースオフセットにおける第1のPUCCHの周波数領域リソースオフセットを示すために使用され、一連の周波数領域リソースオフセットは、少なくとも1つの候補周波数領域リソースオフセットを含み、一連の周波数領域リソースオフセットは、UEで事前構成されている。
【０１３７】
P7．基地局は、MAC CEを使用して、第1のPUCCHの周波数領域リソースオフセットの指示情報をUEに送信する。
【０１３８】
第1のPUCCHの周波数領域リソースオフセットの指示情報は、一連の周波数領域リソースオフセットにおける第1のPUCCHの周波数領域リソースオフセットを示すために使用され、一連の周波数領域リソースオフセットは、少なくとも1つの候補周波数領域リソースオフセットを含み、一連の周波数領域リソースオフセットは、UEで事前構成されている。
【０１３９】
本発明のこの実施形態では、一連の周波数領域リソースオフセットは、UEで事前構成され得、該一連は、少なくとも1つの候補周波数領域リソースオフセットを含む。次に、基地局は、DCIまたはMAC CEを使用して、第1のPUCCHの周波数領域リソースオフセットの指示情報をUEに送信し、一連の周波数領域リソースオフセットから、指示情報によって示される周波数領域リソースオフセットを選択するようにUEに指示することができる。このようにして、基地局が次回に周波数領域リソースオフセットをUEに送信する場合、基地局は、DCIまたはMAC CEを使用して、周波数領域リソースオフセットの特定のコンテンツを送信する必要はなく、第1のPUCCHの周波数領域リソースオフセットの指示情報をUEに直接送信することができる。このようにして、リソース構成情報を送信するための伝送リソースを節約することができる。
【０１４０】
任意選択で、本発明のこの実施形態では、基地局は、方式P1からP7のいずれか1つでUEに第1のPUCCHの周波数領域リソースオフセットを送信することができ、UEは対応する方式で第1のPUCCHの周波数領域リソースオフセットを取得（つまり、受信）できる。具体的には、UEは、方式Q1からQ7のいずれか1つで第1のPUCCHの周波数領域リソースオフセットを取得することができる。
【０１４１】
Q1．UEは、ブロードキャストメッセージ、システムメッセージ、またはRRCシグナリングを使用して、第1のPUCCHの、基地局によって送信される周波数領域リソースオフセットを受信する。
【０１４２】
Q2．UEは、DCIを使用して、第1のPUCCHの、基地局によって送信される周波数領域リソースオフセットを受信する。
【０１４３】
Q3．UEは、MAC CEを使用して、第1のPUCCHの、基地局によって送信される周波数領域リソースオフセットを受信する。
【０１４４】
Q4．UEは、ブロードキャストメッセージ、システムメッセージ、またはRRCシグナリングを使用して、基地局によって送信される一連の周波数領域リソースオフセットを受信し、DCIを使用して、第1のPUCCHの周波数領域リソースオフセットの、基地局によって送信される指示情報を受信する。
【０１４５】
一連の周波数領域リソースオフセットは、少なくとも1つの候補周波数領域リソースオフセットを含む。
【０１４６】
Q5．UEは、ブロードキャストメッセージ、システムメッセージ、またはRRCシグナリングを使用して、基地局によって送信される一連の周波数領域リソースオフセットを受信し、MAC CEを使用して、第1のPUCCHの周波数領域リソースオフセットの、基地局によって送信される指示情報を受信する。
【０１４７】
一連の周波数領域リソースオフセットは、少なくとも1つの候補周波数領域リソースオフセットを含む。
【０１４８】
Q6．UEは、DCIを使用して、第1のPUCCHの周波数領域リソースオフセットの、基地局によって送信される指示情報を受信する。
【０１４９】
第1のPUCCHの周波数領域リソースオフセットの指示情報は、一連の周波数領域リソースオフセットにおける第1のPUCCHの周波数領域リソースオフセットを示すために使用され、一連の周波数領域リソースオフセットは、少なくとも1つの候補周波数領域リソースオフセットを含み、一連の周波数領域リソースオフセットは、UEで事前構成されている。
【０１５０】
Q7．UEは、MAC CEを使用して、第1のPUCCHの周波数領域リソースオフセットの、基地局によって送信される指示情報を受信する。
【０１５１】
第1のPUCCHの周波数領域リソースオフセットの指示情報は、一連の周波数領域リソースオフセットにおける第1のPUCCHの周波数領域リソースオフセットを示すために使用され、一連の周波数領域リソースオフセットは、少なくとも1つの候補周波数領域リソースオフセットを含み、一連の周波数領域リソースオフセットは、UEで事前構成されている。
【０１５２】
Q1〜Q7の関連説明については、前述のP1〜P7の特定の説明を参照されたい。詳細はここでは再度説明されない。
【０１５３】
任意選択で、図6を参照すると、本発明のこの実施形態では、S104は、S1041を使用して具体的に実装され得る。
【０１５４】
S1041．UEは、第1のPUCCHの第1のホップリソースおよび／または第1のPUCCHの周波数領域リソースオフセットに基づいて、かつ次の規則1、規則2、および規則3のいずれかに従って、第1のPUCCHの第2のホップリソースを決定する。
【０１５５】
本発明のこの実施形態では、前述の規則1、規則2、および規則3はすべて、第1のPUCCHの周波数ホッピング規則である。以下は、規則に従って、UEによって第1のPUCCHの第2のホップリソースを決定するための方法を個別に詳細に説明する。
【０１５６】
任意選択で、本発明のこの実施形態では、UEが第1のPUCCHの第2のホップリソースを決定することは、具体的には：UEが、第1のPUCCHの第2のホップリソースのインデックスを決定することであり、第2のホップリソースのインデックスに基づいて第2のホップリソースを知ることができる。
【０１５７】
本発明のこの実施形態では、リソース構成情報が第1のPUCCHの周波数領域リソースオフセットおよびUEによって使用されるBWPの帯域幅を含むとき、UEは、規則1に従って第1のPUCCHの第2のホップリソースを決定する。
【０１５８】
規則1：index2＝f（n＿BWP，index1）＋offset、ここで
f（n＿BWP，index1）はミラー関数またはステップ関数を表し、index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、n＿BWPはUEによって使用されるBWPに含まれるリソースユニットの総数を表し、offsetは第1のPUCCHの周波数領域リソースオフセットを表す。
【０１５９】
また、index1が示す周波数領域リソースは、第2のPUCCHの周波数領域リソースと同じであってもよく、index2が示す周波数領域リソースは、第3のPUCCHの周波数領域リソースと同じであってもよい。
【０１６０】
本発明のこの実施形態では、f（n＿BWP，index1）がミラー関数を表す場合、ミラー関数は次のようになり得る：
f（n＿BWP，index1）＝n＿BWP−index1
【０１６１】
ミラー関数は、UEによって使用されるBWPの帯域幅内で第1のホップリソースをミラーリングすることによって得られる機能である。この場合、第1のPUCCHの第2のホップリソースのインデックスは次のようになり得る：
index2＝n＿BWP−index1＋offset
【０１６２】
第1のPUCCHの周波数ホッピングプロセスは次のように理解され得る：第1のPUCCHは、UEのBWPに基づいてミラー周波数ホッピングを実行し、PUCCHがミラー周波数ホッピング方式でUEのBWPの2つの端部にある程度分散されることを確実にする。このようにして、BWPの中間部分をPUSCHに使用することができ、その結果、PUSCHの周波数領域リソースが隣接し、アップリンクチャネルの周波数領域リソースの使用率を改善する。第1のPUCCHのミラー周波数ホッピング後の周波数領域リソースは、別のPUCCHによって多重化され得る。したがって、ミラー周波数ホッピングの後、周波数領域リソースはある程度オフセットされ、新しい周波数領域リソースが第1のPUCCHの第2のホップリソースとして選択される。このようにして、異なるPUCCHの周波数領域リソース間の競合が回避されることができ、PUCCHリソース構成の精度が向上される。
【０１６３】
例えば、UEによって使用されるBWPの帯域幅が16の部分（インデックスは0〜15）に分割されている、つまりn＿BWPが15であり、第1のホップリソースのインデックスが1、つまりindex1が1であり、第1のPUCCHの周波数領域リソースオフセットが−1であると仮定すると、第2のホップリソースのインデックスは14である。図8は、第1のPUCCHの周波数ホッピングの概略図である。
【０１６４】
任意選択で、f（n＿BWP，index1）がミラー関数を表す場合、代わりにミラー関数は次のようになり得る：
index2＝n＿BWP−1−index1＋offset
【０１６５】
本発明のこの実施形態では、f（n＿BWP，index1）がステップ関数を表す場合、この関数は、index1に関連する関数であり、n＿BWPに基づいて計算されるステップである。step関数は次のようになり得る：
f（n＿BWP，index1）＝δ＊n＿BWP＋index1、ここで0＜δ1、および
δはステップ係数を表し、δ＊n＿BWPは周波数ホッピングステップを表し、第1のPUCCHの第2のホップリソースのインデックスは次のようになり得る：
index2＝δ＊n＿BWP＋index1＋offset
【０１６６】
第1のPUCCHの周波数ホッピングプロセスは、以下のように理解され得る：周波数ホッピングは、周波数ホッピングステップとしてδ＊n＿BWPを使用して、第1のPUCCH上で発生する。同様に、ステップを使用して第1のPUCCH上で周波数ホッピングが発生した後の周波数領域リソースは、別のPUCCHによって多重化され得る。したがって、このステップを使用して周波数ホッピングが実行された後、周波数領域リソースはある程度オフセットされ、新しい周波数領域リソースが第1のPUCCHの第2のホップリソースとして選択される。このようにして、異なるPUCCHの周波数領域リソース間の競合が回避されることができ、PUCCHリソース構成の精度が向上される。
【０１６７】
任意選択で、本発明のこの実施形態では、BWPのリソースユニットは、1つのRB、または指定された数量のRB、または指定された数量のREであってもよい。具体的には、リソースユニットは、実際の使用要件に応じて決定され得る。これは、本発明のこの実施形態において限定されない。
【０１６８】
本発明のこの実施形態では、リソース構成情報が第1のPUCCHの周波数領域リソースオフセットを含む場合、UEは、規則2に従って第1のPUCCHの第2のホップリソースを決定する。
【０１６９】
規則2：index2＝index1＋offset、ここで
index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、offsetは、第1のPUCCHの周波数領域リソースオフセットを表す。
【０１７０】
また、index1が示す周波数領域リソースは、第2のPUCCHの周波数領域リソースと同じであってもよく、index2が示す周波数領域リソースは、第3のPUCCHの周波数領域リソースと同じであってもよい。
【０１７１】
本発明のこの実施形態では、第1のPUCCHの第2のホップリソースは、第1のホップリソースが適切にオフセットされた後に得られる周波数領域リソースであり得る。
【０１７２】
本発明のこの実施形態では、リソース構成情報がUEによって使用されるBWPの帯域幅を含む場合、UEは、規則3に従って第1のPUCCHの第2のホップリソースを決定する。
【０１７３】
規則3：index2＝f（index1，n＿BWP）、ここで
f（index1，n＿BWP）はミラー関数を表し、index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、n＿BWPはUEによって使用されるBWPに含まれるリソースユニットの総数を表す。
【０１７４】
また、index1が示す周波数領域リソースは、第2のPUCCHの周波数領域リソースと同じであってもよく、index2が示す周波数領域リソースは、第3のPUCCHの周波数領域リソースと同じであってもよい。
【０１７５】
本発明のこの実施形態では、f（index1，n＿BWP）が規則1のミラー関数と同じである場合、第1のPUCCHの第2のホップリソースのインデックスは次のようになる：
index2＝n＿BWP−index1
【０１７６】
第1のPUCCHは、UEのBWPに基づいてミラー周波数ホッピングを実行する。これは、前述の規則1のミラー周波数ホッピングと同様に、PUCCHがUEのBWPの2つの端部にある程度分散されることを確実にできる。このようにして、BWPの中間部分をPUSCHに使用することができ、その結果、PUSCHの周波数領域リソースが隣接し、アップリンクチャネルの周波数領域リソースの使用率を改善する。
【０１７７】
任意選択で、本発明のこの実施形態では、f（index1，n＿BWP）は、代わりにステップ関数であってもよく、ステップ関数は、前述の規則1のステップ関数と同じであってもよい、つまり：
f（n＿BWP，index1）＝δ＊n＿BWP＋index1
【０１７８】
この場合、第1のPUCCHの第2のホップリソースのインデックスは次のようになり得る：
index2＝δ＊n＿BWP＋index1
【０１７９】
任意選択で、本発明のこの実施形態では、周波数ホッピング規則は、代替的に次のようになり得る：
【０１８０】
規則4：index2＝f（n＿BWP，index1，offset）、ここで
f（n＿BWP，index1，offset）はn＿BWP、index1、およびoffsetに基づく関数を表す。index2は第1のPUCCHの第2のホップリソースのインデックスを表し、index2は第1のPUCCHの第2のホップリソースを示し、index1は第1のPUCCHの第1のホップリソースのインデックスを表し、index1は第1のPUCCHの第1のホップリソースを示し、n＿BWPはUEによって使用されるBWPに含まれるリソースユニットの総数を表し、offsetは第1のPUCCHの周波数領域リソースオフセットを表す。
【０１８１】
例えば、第1のPUCCHの第2のホップリソースのインデックスは次のようになり得る：
index2＝δ＊n＿BWP＋index1＋ξ＊offset、ここで、ξはスケール係数を表す。
【０１８２】
f（n＿BWP，index1，offset）はf（f（n＿BWP，index1），offset）であり得る。f（n＿BWP，index1）は、前述の規則1のミラー関数またはステップ関数を表す場合がある。
【０１８３】
任意選択で、本発明のこの実施形態では、基地局がPUCCHの周波数領域リソースを構成する（すなわち、基地局がPUCCHのリソース構成情報を決定する）プロセスにおいて、第1のPUCCHの長さが、第2のPUCCHの長さのn倍であり、第2のPUCCHの開始位置または終了位置が、第1のPUCCHの周波数ホッピング位置と同じである場合、第1のPUCCHの周波数領域リソースおよび第2のPUCCHの周波数領域リソースは、利用可能な周波数領域リソース内の周波数領域リソースであり、第1のPUCCHの周波数領域リソースと第2のPUCCHの周波数領域リソースとの間の距離は、予め設定された閾値以下であり、第1のPUCCHの長さと第2のPUCCHの長さの両方が2σ、n≧1、σ≧0、σは整数である。
【０１８４】
第1のPUCCHおよび第2のPUCCHのために基地局によって構成された周波数領域リソースは、以下の条件を満たすことも理解され得る：第1のPUCCHの周波数領域リソースと第2のPUCCHの周波数領域リソースとの間の距離は、予め設定された閾値以下である。
【０１８５】
例えば、図9（a）および図9（b）に示すように、第1のPUCCHが8つのOFDMシンボルを占有し、第2のPUCCHが4つのOFDMシンボルを占有すると仮定される。図9（a）は、第2のPUCCHの終了位置が第1のPUCCHの周波数ホッピング位置と同じ場合を示し、図9（b）は、第2のPUCCHの開始位置が第1のPUCCHの周波数ホッピング位置と同じである場合を示す。
【０１８６】
本発明のこの実施形態では、第1のPUCCHの長さが第2のPUCCHの長さのn倍であるとき、第1のPUCCHは、第2のPUCCHの周波数領域リソースを多重化することができる。第1のPUCCHの周波数領域リソースと第2のPUCCHの周波数領域リソースとの間の距離が比較的短い場合（具体的には、第1のPUCCHの周波数領域リソースと第2のPUCCHの周波数領域リソースとの間の距離は、予め設定された閾値以下である）、第1のPUCCHの周波数ホッピングプロセスでは、周波数領域リソースの比較的小さいオフセット（offset）のみが必要であるため、第2のPUCCHの周波数領域リソースは、第1のPUCCHの第2のホップリソースとしてある程度多重化される。第1のPUCCHの周波数領域リソースオフセット（すなわち、offset）を送信するために基地局によって使用されるDCIのビット数は制限されているため（通常は1から2ビット）、第1のPUCCHの周波数領域リソースと第2のPUCCHの周波数領域リソースは、利用可能な周波数領域リソースの周波数領域リソースであり、第1のPUCCHの周波数領域リソースと第2のPUCCHの周波数領域リソースとの間の距離は、予め設定された閾値以下であり、第1のPUCCHの周波数領域リソースオフセットは比較的小さい場合がある。このようにして、基地局によって送信され、基地局によって第1のPUCCHの周波数領域リソースオフセットを搬送するためのDCIのシグナリングオーバーヘッドは低減されることができる。
【０１８７】
任意選択で、本発明のこの実施形態では、基地局がPUCCHの周波数領域リソースを構成する（すなわち、基地局がPUCCHのリソース構成情報を決定する）プロセスにおいて、第1のPUCCHの長さが、第2のPUCCHの長さの2n倍である場合、第1のPUCCHの周波数領域リソースは、第2のPUCCHの周波数領域リソースと同じである。言い換えれば、基地局は、第1のPUCCHおよび第2のPUCCHに対して同じ周波数領域リソースを構成する。
【０１８８】
本発明のこの実施形態では、第1のPUCCHの長さが第2のPUCCHの長さのn倍であるため（例えば、第1のPUCCHは8つのOFDMシンボルを占有し、第2のPUCCHは4つのOFDMシンボルを占有する）、第1のPUCCHは第2のPUCCHの周波数領域リソースを多重化し得る。これに基づいて、第1のPUCCHの周波数領域リソースおよび第2のPUCCHの周波数領域リソースは、同じ周波数領域リソースに構成される。このようにして、第1のPUCCHおよび第2のPUCCHは、同じ周波数領域リソースを多重化することができるため、PUCCHの周波数領域リソースの多重比が改善されることができる。
【０１８９】
本発明のこの実施形態では、第1のPUCCHの周波数領域リソースは、複数のPUCCHの周波数領域リソースと同じであり得ることに留意されたい。例えば、第1のPUCCHは8つのOFDMシンボルを占有し、第2のPUCCHは2つのOFDMシンボルを占有し、第3のPUCCHは2つのOFDMシンボルを占有し、第4のPUCCHは4つのOFDMシンボルを占有し、第1のPUCCHの周波数領域リソースは、第2のPUCCHの周波数領域リソース、第3のPUCCHの周波数領域リソース、第4のPUCCHの周波数領域リソースと同じであり得る（第2のPUCCH、第3のPUCCH、および第4のPUCCHは、時間領域の連続したPUCCHである）。第1のPUCCHの第1のホップリソースのインデックスは5であり、第2のPUCCHの周波数領域リソースのインデックスおよび第3のPUCCHのインデックスは両方とも5であり、第1のPUCCHの第2のホップリソースのインデックスは95であり、第4のPUCCHの周波数領域リソースのインデックスは95であると仮定される。この場合、第1のPUCCHの周波数ホッピングが発生すると、第1のPUCCHの周波数ホッピング位置は第4のOFDMシンボルの終了位置または第5のOFDMシンボルの開始位置であり、第1のPUCCHは、第2のPUCCHの周波数領域リソースおよび第3のPUCCHの周波数領域リソースを第1のホップで使用することができ、第1のPUCCHは、第4のPUCCHの周波数領域リソースを第2のホップで使用することができる。
【０１９０】
任意選択で、本発明のこの実施形態では、第1のPUCCHの第2のホップリソースを構成するための方法は、第1のPUCCHの周波数ホッピングリソースを構成するための方法と同様であってもよく、基地局によって構成される。リソース構成情報は、第1のPUCCHの第2のホップリソースのインデックスを含む。
【０１９１】
本発明のこの実施形態で提供されるアップリンク制御チャネルリソース構成方法によれば、基地局は、第1のPUCCHの第1のホップリソース、第1のPUCCHの周波数領域リソースオフセット、および／またはUEによって使用されるBWPの帯域幅を含むリソース構成情報を決定し、リソース構成情報をUEに送信することができる。次に、リソース構成情報を受信した後、UEは、リソース構成情報に基づいて、第1のPUCCHの第2のホップリソースを決定することができ、第1のPUCCHはUEのPUCCHである。従来技術と比較して、基地局は、第1のPUCCHの周波数領域リソースオフセットおよび／または第1のPUCCHのためにUEによって使用されるBWPの帯域幅を構成し得るため、UEは、第1のPUCCHの周波数領域リソースオフセットおよび／またはUEによって使用されるBWPの帯域幅に基づく第1のPUCCHの第2のホップリソースを決定することができ、その結果、第1のPUCCHの周波数領域リソースは、UEのBWPの2つの端部で分散され得る。PUSCHの周波数領域リソースがある程度隣接していることが保証され、それにより、アップリンクチャネルの周波数領域リソースの使用率を改善する。
【０１９２】
本発明の実施形態は、リソース構成方法をさらに提供する。この方法は、S201〜S203を含み得る。
【０１９３】
S201．基地局は、第1の指示情報をUEに送信し、第1の指示情報は、第1のDCIが、第1のレイテンシ情報を示すために使用されるフィールドを含むかどうかを示すために使用される。
【０１９４】
本発明のこの実施形態では、第1のレイテンシ情報は、第1のレイテンシのスロットに関する情報（例えば、UEによって基地局に送信される確認応答データパケットの開始スロットの位置情報）または第1のレイテンシのOFDMシンボルに関する情報（例えば、UEによって基地局に送信される確認応答データパケットの開始OFDMシンボルの位置情報）を含み得る。
【０１９５】
確認応答データパケットは、基地局によって送信されるデータパケットのハイブリッド自動再送要求HARQが正しく取得されたか、または誤って取得されたかを示すことに留意されたい。
【０１９６】
第1のレイテンシは、第2の時点と第1の時点との間の時間差である。第1の時点は、UEが基地局によって送信されるデータパケットを受信する時点であり、第2の時点は、UEが基地局によって送信されるデータパケットを受信した後にUEが確認応答データパケットで基地局に応答する時点である。
【０１９７】
本発明のこの実施形態では、第1の時点および第2の時点は、スロット、OFDMシンボル、またはスロットとOFDMシンボルの組み合わせで測定され得る（OFDMシンボルはスロット内のOFDMシンボルである）。
【０１９８】
任意選択で、第1の指示情報は、上位層シグナリングを使用して送信され得、上位層シグナリングは、ブロードキャストメッセージ、システムメッセージ、またはRRCメッセージのいずれか1つまたは組み合わせであり得る。あるいは、第1の指示情報は、DCIを使用して送信され得る。例えば、第1の指示情報は、共通物理ダウンリンク制御チャネルに対応するDCI、グループ共通制御チャネルのDCI、またはUEの特定のダウンリンク制御チャネルのDCIの1つまたは組み合わせを使用して送信され得る。
【０１９９】
任意選択で、第1のDCIが第1のレイテンシ情報を示すために使用されるフィールドを含むことを第1の指示情報が示すとき、それは基地局が第1のレイテンシ情報を示すためにある量の独立したDCIビットを割り当てることを示す。
【０２００】
任意選択で、第1のDCIが第1のレイテンシ情報を示すために使用されるフィールドを含まないことを第1の指示情報が示すとき、それは基地局が第1のレイテンシ情報を示す独立したDCIビットを割り当てないことを示す。この場合、基地局は、上位層シグナリングを使用して、UEの第1のレイテンシ情報を直接構成できる；または、基地局は、一連のPUCCHリソース内のPUCCHリソースを示すDCIを使用して第1のレイテンシ情報を示す、すなわち、基地局は、PUCCHリソースおよび第1のレイテンシ情報を示すために同じDCIビットを使用する；または、DCIビットによって示されるPUCCHリソース情報は、第1のレイテンシ情報を含む。PUCCHリソースは、PUCCHの開始位置、PUCCHの周波数領域リソースオフセットなどのうちの少なくとも1つであり得る。
【０２０１】
S202．UEは、基地局によって送信される第1の指示情報を受信する。
【０２０２】
S203．UEは、基地局によって送信される第1の指示情報に基づいて第1のレイテンシ情報を決定する。
【０２０３】
任意選択で、本発明のこの実施形態では、第1のDCIが第1のレイテンシ情報を示すために使用されるフィールドを含むことを第1の指示情報が示すとき、UEが第1の指示情報を受信した後、UEは、第1のレイテンシ情報を取得するために第1のDCIを直接解析することができる。
【０２０４】
任意選択で、本発明のこの実施形態では、第1のDCIが第1のレイテンシ情報を示すために使用されるフィールドを含まないことを第1の指示情報が示すとき、UEは、上位層シグナリングを使用して、UEのために基地局によって直接構成される第1のレイテンシ情報を取得することができる；またはUEは、PUCCHリソースを示すために使用されるDCIを解析し（DCIはPUCCHリソースと第1のレイテンシ情報の両方を示す）、次にDCIに基づいて、上位層のシグナリングを使用してUEの基地局によって構成される一連のリソースに基づく第1のレイテンシ情報を決定する。
【０２０５】
本発明のこの実施形態で提供されるリソース構成方法によれば、UEと基地局との間の通信のプロセスでは、UEが送信されたデータパケットを受信した後、UEはデータパケットの確認応答データパケットで基地局に応答する必要がある。本発明のこの実施形態では、基地局は、第1の指示情報をUEに送信することができ、第1の指示情報は、第1のDCIが第1のレイテンシ情報を示すために使用されるフィールドを含むかどうかをUEに通知するために使用され、その結果、第1のUEが、第1の指示情報に基づいて、確認応答データパケット（基地局に送信される確認応答パケット）を送信するために使用される第1のレイテンシ情報を決定し、確認応答データパケットを基地局に正常に送信するようにする。
【０２０６】
上記は、ネットワーク要素間の相互作用の観点から、本発明の実施形態で提供される解決策を主に説明している。前述の機能を実装するために、各ネットワーク要素、例えば基地局またはUEは、機能を実行するための対応するハードウェア構造および／またはソフトウェアモジュールを含むことが理解され得る。当業者は、本発明の実施形態で説明された例と組み合わせて、ユニット、アルゴリズム、およびステップがハードウェアまたはハードウェアとコンピュータソフトウェアの組み合わせによって実装され得ることを容易に認識するはずである。機能がハードウェアによって実行されるか、コンピュータソフトウェアによって駆動されるハードウェアによって実行されるかは、特定のアプリケーションおよび技術的解決策の設計上の制約に依存する。当業者は、特定の各アプリケーションのために説明した機能を実装するために異なる方法を使用することができるが、実装が本出願の範囲外であると考えられるべきではない。
【０２０７】
本発明の実施形態では、基地局、UEなどは、前述の方法の例に従って機能モジュールに分割され得る。例えば、各機能モジュールは、対応する各機能に基づいて分割することによって得られてもよく、または2つ以上の機能が1つの処理モジュールに統合されてもよい。統合モジュールは、ハードウェアの形態で実装されてもよく、またはソフトウェア機能モジュールの形態で実装されてもよい。なお、本発明の実施形態において、モジュールへの分割は一例であり、論理的な機能分割に過ぎず、実際の実装では他の分割であってもよい。
【０２０８】
各機能モジュールが、対応する各機能に基づいて分割によって得られる場合、図10は、上記の実施形態における基地局の可能な概略構成図である。図10に示されるように、基地局は、決定モジュール50および送信モジュール51を含み得る。決定モジュール50は、前述の方法の実施形態においてS101を実行する際に基地局をサポートするように構成され得る。送信モジュール51は、前述の方法の実施形態においてS102を実行する際に基地局をサポートするように構成され得る。前述の方法の実施形態におけるステップのすべての関連する内容は、対応する機能モジュールの機能の説明で引用され得る。詳細はここでは再度説明されない。
【０２０９】
統合ユニットが使用される場合、図11は、前述の実施形態における基地局の可能な概略構成図である。図11に示されるように、基地局は、処理モジュール60および通信モジュール61を含み得る。処理モジュール60は、基地局の動作を制御および管理するように構成され得る。例えば、処理モジュール60は、前述の方法の実施形態においてS101を実行する際に基地局をサポートするように構成され、かつ／または本明細書で説明される技術の別のプロセスで使用され得る。通信モジュール61は、別のネットワークエンティティと通信する際に基地局をサポートするように構成され得る。例えば、通信モジュール61は、前述の方法の実施形態においてS102を実行する際に基地局をサポートするように構成され得る。任意選択で、図11に示すように、基地局は、基地局のプログラムコードおよびデータを格納するように構成された記憶モジュール62をさらに含んでもよい。
【０２１０】
処理モジュール60は、プロセッサまたはコントローラであり得る（例えば、処理モジュール60は、図4に示されるプロセッサであり得る）。例えば、処理モジュール60は、中央処理装置（central processing unit，CPU）、汎用プロセッサ、デジタルシグナルプロセッサ（digital signal processor，DSP）、特定用途向け集積回路（application−specific integrated circuit，ASIC）、フィールドプログラマブルゲートアレイ（field programmable gate array，FPGA）、または別のプログラマブルロジックデバイス、トランジスタロジックデバイス、ハードウェアコンポーネント、またはそれらの組み合わせであってもよい。処理モジュール60は、本発明の実施形態に開示された内容を参照して説明されたさまざまな例示的な論理ブロック、モジュール、および回路を実装または実行することができる。あるいは、プロセッサは、計算機能を実装するプロセッサの組み合わせ、例えば、1つまたは複数のマイクロプロセッサを含む組み合わせ、またはDSPとマイクロプロセッサの組み合わせであってもよい。通信モジュール61は、トランシーバ、トランシーバ回路、通信インタフェースなどであり得る（例えば、通信モジュール61は、図4に示される無線周波数ユニットであり得る）。記憶モジュール62はメモリであってもよい。
【０２１１】
処理モジュール60がプロセッサである場合、通信モジュール61はトランシーバであり、記憶モジュール62はメモリであり、プロセッサ、トランシーバ、およびメモリは、バスを使用して接続され得る。バスは、周辺機器相互接続（peripheral component interconnect，PCI）バス、拡張業界標準アーキテクチャ（extended industry standard architecture，EISA）バスなどであり得る。バスは、アドレスバス、データバス、コントロールバスなどに分類され得る。
【０２１２】
各機能モジュールが、対応する各機能に基づいて分割によって得られる場合、図12は、上記の実施形態におけるUEの可能な概略構成図である。図12に示されるように、UEは、取得モジュール70および決定モジュール71を含み得る。取得モジュール70は、前述の方法の実施形態においてS103を実行する際にUEをサポートするように構成され得る。決定モジュール71は、前述の方法の実施形態においてS104（S1041を含む）を実行する際にUEをサポートするように構成され得る。前述の方法の実施形態におけるステップのすべての関連する内容は、対応する機能モジュールの機能の説明で引用され得る。詳細はここでは再度説明されない。
【０２１３】
統合ユニットが使用される場合、図13は、前述の実施形態におけるUEの可能な概略構成図である。図13に示されるように、UEは、処理モジュール80および通信モジュール81を含み得る。処理モジュール80は、UEのアクションを制御および管理するように構成され得る。例えば、処理モジュール80は、前述の方法の実施形態においてS104（S1041を含む）を実行する際にUEをサポートするように構成され、かつ／または本明細書で説明する技術の別のプロセスで使用され得る。通信モジュール81は、別のネットワークエンティティと通信する際にUEをサポートするように構成され得る。例えば、通信モジュール81は、前述の方法の実施形態においてS103を実行する際にUEをサポートするように構成され得る。任意選択で、図13に示すように、UEは、UEのプログラムコードおよびデータを格納するように構成された記憶モジュール82をさらに含んでもよい。
【０２１４】
処理モジュール80は、プロセッサまたはコントローラであり得る（例えば、処理モジュール80は、図5に示されるプロセッサ40であり得る）。例えば、処理モジュール80は、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュール80は、本発明の実施形態に開示された内容を参照して説明されたさまざまな例示的な論理ブロック、モジュール、および回路を実装または実行することができる。あるいは、プロセッサは、計算機能を実装するプロセッサの組み合わせ、例えば、1つまたは複数のマイクロプロセッサを含む組み合わせ、またはDSPとマイクロプロセッサの組み合わせであってもよい。通信モジュール81は、トランシーバ、トランシーバ回路、通信インタフェースなどであり得る（例えば、通信モジュール81は、図5に示されるRF回路41であり得る）。記憶モジュール82は、メモリであり得る（例えば、記憶モジュール82は、図5に示すメモリ43であり得る）。
【０２１５】
処理モジュール80がプロセッサである場合、通信モジュール81はトランシーバであり、記憶モジュール82はメモリであり、プロセッサ、トランシーバ、およびメモリは、バスを使用して接続され得る。バスは、PCIバス、EISAバスなどであり得る。バスは、アドレスバス、データバス、コントロールバスなどに分類され得る。
【０２１６】
各機能モジュールが、対応する各機能に基づいて分割によって得られる場合、本発明のこの実施形態で提供される基地局は、送信モジュールを含み得る。送信モジュールは、前述の方法の実施形態においてS201を実行する際に基地局をサポートするように構成され得る。前述の方法の実施形態におけるステップのすべての関連する内容は、対応する機能モジュールの機能の説明で引用され得る。詳細はここでは再度説明されない。
【０２１７】
統合ユニットが使用される場合、基地局は、処理モジュールおよび通信モジュールを含み得る。処理モジュールは、基地局の動作を制御および管理するように構成され、かつ／または本明細書で説明される技術の別のプロセスで使用され得る。通信モジュールは、別のネットワークエンティティと通信する際に基地局をサポートするように構成され得る。例えば、通信モジュールは、前述の方法の実施形態においてS201を実行する際に基地局をサポートするように構成され得る。任意選択で、基地局は、基地局のプログラムコードおよびデータを格納するように構成された記憶モジュールをさらに含んでもよい。
【０２１８】
処理モジュールは、プロセッサまたはコントローラであり得る（例えば、処理モジュールは、図4に示されるプロセッサであり得る）。例えば、処理モジュールは、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュールは、本発明の実施形態に開示された内容を参照して説明されたさまざまな例示的な論理ブロック、モジュール、および回路を実装または実行することができる。あるいは、プロセッサは、計算機能を実装するプロセッサの組み合わせ、例えば、1つまたは複数のマイクロプロセッサを含む組み合わせ、またはDSPとマイクロプロセッサの組み合わせであってもよい。通信モジュールは、トランシーバ、トランシーバ回路、通信インタフェースなどであり得る（例えば、通信モジュールは、図4に示される無線周波数ユニットであり得る）。記憶モジュールはメモリであり得る。
【０２１９】
処理モジュールがプロセッサである場合、通信モジュールはトランシーバであり、記憶モジュールはメモリであり、プロセッサ、トランシーバ、およびメモリは、バスを使用して接続され得る。バスは、PCIバス、EISAバスなどであり得る。バスは、アドレスバス、データバス、コントロールバスなどに分類され得る。
【０２２０】
各機能モジュールが、対応する各機能に基づく分割によって得られる場合、本発明のこの実施形態で提供されるUEは、受信モジュールと決定モジュールとを含み得る。受信モジュールは、前述の方法の実施形態においてS202を実行する際にUEをサポートするように構成され得る。決定モジュールは、前述の方法の実施形態においてS203を実行する際にUEをサポートするように構成され得る。前述の方法の実施形態におけるステップのすべての関連する内容は、対応する機能モジュールの機能の説明で引用され得る。詳細はここでは再度説明されない。
【０２２１】
統合ユニットが使用される場合、UEは、処理モジュールおよび通信モジュールを含み得る。処理モジュールは、UEのアクションを制御および管理するように構成され得る。例えば、処理モジュールは、前述の方法の実施形態でS203を実行する際にUEをサポートするように構成され、かつ／または本明細書で説明される技術の別のプロセスで使用され得る。通信モジュールは、別のネットワークエンティティと通信する際にUEをサポートするように構成され得る。例えば、通信モジュールは、前述の方法の実施形態においてS202を実行する際にUEをサポートするように構成され得る。任意選択で、UEは、UEのプログラムコードおよびデータを格納するように構成された記憶モジュールをさらに含み得る。
【０２２２】
処理モジュールは、プロセッサまたはコントローラであり得る（例えば、処理モジュールは、図5に示されるプロセッサ40であり得る）。例えば、処理モジュールは、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュールは、本発明の実施形態に開示された内容を参照して説明されたさまざまな例示的な論理ブロック、モジュール、および回路を実装または実行することができる。あるいは、プロセッサは、計算機能を実装するプロセッサの組み合わせ、例えば、1つまたは複数のマイクロプロセッサを含む組み合わせ、またはDSPとマイクロプロセッサの組み合わせであってもよい。通信モジュールは、トランシーバ、トランシーバ回路、通信インタフェースなどであり得る（例えば、通信モジュールは、図5に示されるRF回路41であり得る）。記憶モジュールは、メモリであり得る（例えば、記憶モジュールは、図5に示すメモリ43であり得る）。
【０２２３】
処理モジュールがプロセッサである場合、通信モジュールはトランシーバであり、記憶モジュールはメモリであり、プロセッサ、トランシーバ、およびメモリは、バスを使用して接続され得る。バスは、PCIバス、EISAバスなどであり得る。バスは、アドレスバス、データバス、コントロールバスなどに分類され得る。
【０２２４】
前述の実施形態のすべてまたはいくつかは、前述の実施形態のソフトウェア、ハードウェア、ファームウェア、またはそれらの任意の組み合わせを使用することにより実装されてもよい。ソフトウェアプログラムが使用されて実施形態を実装する場合、実施形態のすべてまたはいくつかは、コンピュータプログラム製品の形で実装されてもよい。コンピュータプログラム製品には、1つまたは複数のコンピュータ命令が含まれている。コンピュータ命令がコンピュータにロードされて実行されると、本発明の実施形態によるすべてのまたはいくつかの手順または機能が生成される。コンピュータは、汎用コンピュータ、専用コンピュータ、コンピュータネットワーク、または他のプログラム可能な装置であってもよい。コンピュータ命令は、コンピュータ可読記憶媒体に格納されてもよいし、あるコンピュータ可読記憶媒体から別のコンピュータ可読記憶媒体に伝送されてもよい。例えば、コンピュータ命令は、ウェブサイト、コンピュータ、サーバ、またはデータセンタから別のウェブサイト、コンピュータ、サーバ、またはデータセンタに有線（例えば、同軸ケーブル、光ファイバ、またはデジタル加入者線（digital subscriber line，DSL））またはワイヤレス（赤外線、ラジオ、マイクロ波など）方式で伝送されてもよい。コンピュータ可読記憶媒体は、コンピュータによってアクセス可能な任意の使用可能な媒体であってもよく、または1つまたは複数の使用可能な媒体を統合するサーバまたはデータセンタなどのデータ記憶デバイスであってもよい。使用可能な媒体は、磁気媒体（例えば、フロッピー（登録商標）ディスク、磁気ディスク、磁気テープ）、光学媒体（例えば、デジタルビデオディスク（digital video disc，DVD））、半導体媒体（例えば、ソリッドステートドライブ（solid state drives，SSD））などであってもよい。
【０２２５】
実装に関する前述の説明により、当業者は、説明を簡単かつ簡潔にするために、前述の機能モジュールへの分割が説明のための例として使用されることを理解することができる。実際のアプリケーションでは、前述の機能が異なるモジュールに割り当てられて、要件に基づいて実装されることができる。言い換えれば、装置の内部構造は、上記の機能のすべてまたは一部を実装するために、異なる機能モジュールに分割される。前述のシステム、装置、およびユニットの詳細な作動プロセスについては、前述の方法の実施形態における対応するプロセスを参照されたい。詳細はここでは再度説明されない。
【０２２６】
本出願で提供されるいくつかの実施形態では、開示されたシステム、装置、および方法は、他の方式で実現されてもよいことが理解されるべきである。例えば、説明された装置の実施形態は単なる例である。例えば、モジュールまたはユニットへの分割は単に論理機能の分割であり、実際の実装においては他の分割であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用して実現されてもよい。装置またはユニット間の間接的な結合または通信接続は、電子的に、機械的に、または他の形式で実現されてもよい。
【０２２７】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択されてもよい。
【０２２８】
また、本出願の実施形態における機能ユニットは、1つの処理ユニットに統合されもよく、または各ユニットは、単独で、物理的に存在してもよく、または2つ以上のユニットが1つのユニットに統合される。統合ユニットは、ハードウェアの形態で実装されてもよく、またはソフトウェア機能ユニットの形態で実装されてもよい。
【０２２９】
統合ユニットが、ソフトウェア機能ユニットの形態で実装され、独立した製品として販売または使用される場合、統合ユニットは、コンピュータ可読記憶媒体に格納されてもよい。このような理解に基づいて、基本的に本出願の技術的解決策、または従来技術に寄与する部分、または技術的解決策のすべてもしくは一部は、ソフトウェア製品の形態で実現され得る。コンピュータソフトウェア製品は、記憶媒体に格納され、本出願の実施形態に記載の方法のステップのすべてまたは一部を実行するために、コンピュータデバイス（パーソナルコンピュータ、サーバ、またはネットワークデバイスなどであってもよい）を指示するためのいくつかの命令を含む。前述の記憶媒体は、例えば、フラッシュメモリ、リムーバブルハードディスク、読み取り専用メモリ、ランダムアクセスメモリ、磁気ディスク、または光ディスクなどの、プログラムコードを格納することができる任意の媒体を含む。
【０２３０】
前述の説明は、本出願の単なる特定の実装形態であり、本出願の保護範囲を限定することは意図されていない。本出願で開示されている技術的範囲内のすべての変更または置換は、本出願の保護範囲内にあるものとする。したがって、本出願の保護範囲は、特許請求の範囲の保護範囲に従うものとする。
【符号の説明】
【０２３１】
20  基地局
21  UE
30  部分
31  部分
40  プロセッサ
41  RF回路
42  電源
43  メモリ
44  入力ユニット
45  表示ユニット
46  オーディオ回路
50  決定モジュール
51  送信モジュール
60  処理モジュール
61  通信モジュール
62  記憶モジュール
70  取得モジュール
71  決定モジュール
80  処理モジュール
81  通信モジュール
82  記憶モジュール
441  タッチスクリーン
442  他の入力デバイス
451  表示パネル
461  スピーカ
462  マイクロフォン
【図１】
2021503843.tif 000003
【図２】
2021503843.tif 000004
【図３】
2021503843.tif 000005
【図４】
2021503843.tif 000006
【図５】
2021503843.tif 000007
【図６】
2021503843.tif 000008
【図７】
2021503843.tif 000009
【図８】
2021503843.tif 000010
【図９（ａ）】
2021503843.tif 000011
【図９（ｂ）】
2021503843.tif 000012
【図１０】
2021503843.tif 000013
【図１１】
2021503843.tif 000014
【図１２】
2021503843.tif 000015
【図１３】
2021503843.tif 000016
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
アップリンク制御チャネルリソース構成方法であって、
リソース構成情報を決定するステップであって、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用される、ステップと、
前記リソース構成情報をユーザ機器（UE）に送信するステップと
を含む、アップリンク制御チャネルリソース構成方法。
【請求項２】
前記第1のPUCCHの周波数ホッピング規則が：
index2=f（n_BWP，index1，offset）を満たし、
f（n_BWP，index1，offset）はn_BWP、index1、およびoffsetに基づく関数を表し、index2は前記第1のPUCCHの第2のホップリソースのインデックスを表し、index1は前記第1のPUCCHの前記第1のホップリソースのインデックスを表し、n_BWPは前記BWPに含まれるリソースユニットの総数を表し、offsetは前記第1のPUCCHの前記周波数領域リソースオフセットを表す、
請求項1に記載の方法。
【請求項３】
f（n_BWP，index1，offset）＝f（f（n_BWP，index1），offset）であり、
f（n_BWP，index1）＝n_BWP−index1である、
請求項2に記載の方法。
【請求項４】
前記第1のPUCCHの前記周波数ホッピング規則が事前構成されている、
請求項2または3に記載の方法。
【請求項５】
前記第1のPUCCHの周波数ホッピング規則が、以下の規則：
規則1：index2=f（n_BWP，index1）+offset、ここで
f（n_BWP，index1）はミラー関数またはステップ関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n_BWPは前記BWPに含まれるリソースユニットの総数を表し、offsetは前記第1のPUCCHの前記周波数領域リソースオフセットを表す；
規則2：index2=index1+offset、ここで
index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2=f（index1，n_BWP）、ここで
f（index1，n_BWP）はミラー関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n_BWPは前記BWPに含まれるリソースユニットの総数を表す、
のいずれかを含む、請求項1に記載の方法。
【請求項６】
アップリンク制御チャネルリソース決定方法であって、
リソース構成情報を取得するステップであって、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用される、ステップと、
前記リソース構成情報に基づいて前記第1のPUCCHの第2のホップリソースを決定するステップと
を含む、アップリンク制御チャネルリソース構成方法。
【請求項７】
前記第1のPUCCHの第2のホップリソースを決定する前記ステップが、
前記リソース構成情報に基づいて前記第1のPUCCHの前記第2のホップリソースのインデックスを決定するステップ
を含む、請求項6に記載の方法。
【請求項８】
前記第1のPUCCHの周波数ホッピング規則が：
index2=f（n_BWP，index1，offset）を満たし、
f（n_BWP，index1，offset）はn_BWP、index1、およびoffsetに基づく関数を表し、index2は前記第1のPUCCHの第2のホップリソースのインデックスを表し、index1は前記第1のPUCCHの前記第1のホップリソースのインデックスを表し、n_BWPは前記BWPに含まれるリソースユニットの総数を表し、offsetは前記第1のPUCCHの前記周波数領域リソースオフセットを表す、
請求項6または7に記載の方法。
【請求項９】
f（n_BWP，index1，offset）＝f（f（n_BWP，index1），offset）であり、
f（n_BWP，index1）＝n_BWP−index1である、
請求項8に記載の方法。
【請求項１０】
前記第1のPUCCHの前記周波数ホッピング規則が事前構成されている、
請求項8または9に記載の方法。
【請求項１１】
前記第1のPUCCHの第2のホップリソースを決定する前記ステップ（S104））が、
前記第1のPUCCHの前記第1のホップリソース、前記第1のPUCCHの前記周波数領域リソースオフセット、および前記周波数ホッピング規則に従って前記第1のPUCCHの前記第2のホップリソースを決定するステップ
を含む、請求項8から10のいずれか一項に記載の方法。
【請求項１２】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表す、
のいずれかを含む、請求項6または7に記載の方法。
【請求項１３】
決定モジュールおよび送信モジュールを備えるアップリンク制御チャネルリソース構成装置であって、
前記決定モジュールは、リソース構成情報を決定するように構成され、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用され、
前記送信モジュールは、前記リソース構成情報をユーザ機器（UE）に送信するように構成される、
アップリンク制御チャネルリソース構成装置。
【請求項１４】
前記第1のPUCCHの周波数ホッピング規則が：
index2=f（n_BWP，index1，offset）を満たし、
f（n_BWP，index1，offset）はn_BWP、index1、およびoffsetに基づく関数を表し、index2は前記第1のPUCCHの第2のホップリソースのインデックスを表し、index1は前記第1のPUCCHの前記第1のホップリソースのインデックスを表し、n_BWPは前記BWPに含まれるリソースユニットの総数を表し、offsetは前記第1のPUCCHの前記周波数領域リソースオフセットを表す、
請求項13に記載の装置。
【請求項１５】
f（n_BWP，index1，offset）＝f（f（n_BWP，index1），offset）であり、
f（n_BWP，index1）＝n_BWP−index1である、
請求項14に記載の装置。
【請求項１６】
前記第1のPUCCHの前記周波数ホッピング規則が事前構成されている、
請求項14または15に記載の装置。
【請求項１７】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは、前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表す、
のいずれかを含む、請求項13に記載の装置。
【請求項１８】
取得モジュールおよび決定モジュールを備えるアップリンク制御チャネルリソース決定装置であって、
前記取得モジュールは、リソース構成情報を取得するように構成され、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用され、
前記決定モジュールは、前記リソース構成情報に基づいて前記第1のPUCCHの第2のホップリソースを決定するように構成される、
アップリンク制御チャネルリソース決定装置。
【請求項１９】
前記決定モジュールが、
前記リソース構成情報に基づいて前記第1のPUCCHの前記第2のホップリソースを決定する
ように構成される、請求項18に記載の装置。
【請求項２０】
前記第1のPUCCHの周波数ホッピング規則が：
index2=f（n_BWP，index1，offset）を満たし、
f（n_BWP，index1，offset）はn_BWP、index1、およびoffsetに基づく関数を表し、index2は前記第1のPUCCHの前記第2のホップリソースのインデックスを表し、index1は前記第1のPUCCHの前記第1のホップリソースのインデックスを表し、n_BWPは前記BWPに含まれるリソースユニットの総数を表し、offsetは前記第1のPUCCHの前記周波数領域リソースオフセットを表す、
請求項18または19に記載の装置。
【請求項２１】
f（n_BWP，index1，offset）＝f（f（n_BWP，index1），offset）であり、
f（n_BWP，index1）＝n_BWP−index1である、
請求項20に記載の装置。
【請求項２２】
前記第1のPUCCHの前記周波数ホッピング規則が事前構成されている、
請求項20または21に記載の装置。
【請求項２３】
前記決定モジュールが、
前記第1のPUCCHの前記第1のホップリソース、前記第1のPUCCHの前記周波数領域リソースオフセット、および前記周波数ホッピング規則に従って、前記第1のPUCCHの前記第2のホップリソースを決定する
ように構成される、請求項20から22のいずれか一項に記載の装置。
【請求項２４】
前記第1のPUCCHの周波数ホッピング規則が、以下の規則：
規則1：index2＝f（n＿BWP，index1）＋offset、ここで
f（n＿BWP，index1）はミラー関数またはステップ関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表し、offsetは前記第1のPUCCHの前記周波数領域リソースオフセットを表す；
規則2：index2＝index1＋offset、ここで
index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、offsetは前記第1のPUCCHの前記周波数領域リソースオフセットを表す；または
規則3：index2＝f（index1，n＿BWP）、ここで
f（index1，n＿BWP）はミラー関数を表し、index2は前記第1のPUCCHの前記第2のホップリソースのインデックスを表し、index2は前記第1のPUCCHの前記第2のホップリソースを示し、index1は前記第1のPUCCHの前記第1のホップリソースのインデックスを表し、index1は前記第1のPUCCHの前記第1のホップリソースを示し、n＿BWPは前記BWPに含まれるリソースユニットの総数を表す、
のいずれかを含む、請求項18または19に記載の装置。
【請求項２５】
プロセッサと、送信機とを備えるアップリンク制御チャネルリソース構成装置であって、
前記プロセッサは、リソース構成情報を決定するように構成され、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用され、
前記送信機は、前記リソース構成情報をユーザ機器（UE）に送信するように構成される、
アップリンク制御チャネルリソース構成装置。
【請求項２６】
プロセッサと、受信機とを備えるアップリンク制御チャネルリソース決定装置であって、
前記受信機は、リソース構成情報を取得するように構成され、前記リソース構成情報は、第1のアップリンク制御チャネル（PUCCH）の第1のホップリソース、前記第1のPUCCHの周波数領域リソースオフセット、または帯域幅部分（BWP）の帯域幅の少なくとも1つを構成するために使用され、
前記プロセッサは、前記リソース構成情報に基づいて前記第1のPUCCHの第2のホップリソースを決定するように構成される、
アップリンク制御チャネルリソース決定装置。
【請求項２７】
コンピュータプログラムを格納する記憶媒体であって、
前記コンピュータプログラムは、１つまたは複数のプロセッサによって実行されると、請求項1から5のいずれか一項に記載の方法を実施する、
記憶媒体。
【請求項２８】
コンピュータプログラムを格納する記憶媒体であって、
前記コンピュータプログラムは、１つまたは複数のプロセッサによって実行されると、請求項6から12のいずれか一項に記載の方法を実施する、
記憶媒体。
【請求項２９】
コンピュータ可読記録媒体に記録されたプログラムであって、前記プログラムが実行されると、コンピュータは請求項1から5のいずれか一項に記載の方法を実行することが可能になる、プログラム。
【請求項３０】
コンピュータ可読記録媒体に記録されたプログラムであって、前記プログラムが実行されると、コンピュータは請求項6から12のいずれか一項に記載の方法を実行することが可能になる、プログラム。
【手続補正２】
【補正対象書類名】明細書
【補正対象項目名】０００５
【補正方法】変更
【補正の内容】
【０００５】
しかしながら、前述の方法では、PUCCH1の第2ホップの周波数領域リソースおよびPUCCH2の第2ホップの周波数領域リソースは、BWP全体を中断し、複数のPUCCHフラグメントを引き起こし得る。その結果、アップリンク共有チャネル（physical uplink shared channel，PUSCH）に使用される周波数領域リソースは不連続であり、効率的な情報伝送はPUSCHで実装されることができない。これにより、周波数領域リソースの使用率が比較的低くなる。
【手続補正３】
【補正対象書類名】明細書
【補正対象項目名】０１１３
【補正方法】変更
【補正の内容】
【０１１３】
例えば、第1のPUCCHがxのOFDMシンボルを占有し、第2のPUCCHがy1のOFDMシンボルを占有し、第3のPUCCHがy2のOFDMシンボルを占有する場合、x＝y1＋y2となり、y1はy2と等しくても等しくなくてもよい。
【手続補正４】
【補正対象書類名】明細書
【補正対象項目名】０１１７
【補正方法】変更
【補正の内容】
【０１１７】
例えば、第1のPUCCHがxのOFDMシンボルを占有し、第2のPUCCHがy1のOFDMシンボルを占有し、第3のPUCCHがy2のOFDMシンボルを占有する場合、x＝a＊y1＋b＊y2となり、aとbは両方とも正の整数である。例えば、xが12個のOFDMシンボルを表し、y1が4つのOFDMシンボルを表し、y2が8つのOFDMシンボルを表す場合、第1のPUCCHの長さは1つの第2のPUCCHの長さと1つの第3のPUCCHの長さの合計である。
【手続補正５】
【補正対象書類名】明細書
【補正対象項目名】０２１０
【補正方法】変更
【補正の内容】
【０２１０】
処理モジュール60は、プロセッサまたはコントローラであり得る（例えば、処理モジュール60は、図4に示されるプロセッサであり得る）。例えば、処理モジュール60は、中央処理装置（central processing unit，CPU）、汎用プロセッサ、デジタルシグナルプロセッサ（digital signal processor，DSP）、特定用途向け集積回路（application−specific integrated circuit，ASIC）、フィールドプログラマブルゲートアレイ（field programmable gate array，FPGA）、または別のプログラマブルロジックデバイス、トランジスタロジックデバイス、ハードウェアコンポーネント、またはそれらの組み合わせであってもよい。処理モジュール60は、本発明の実施形態に開示された内容を参照して説明されたさまざまな例示的な論理ブロック、モジュール、および回路を実装または実行することができる。あるいは、処理モジュール60は、計算機能を実装するプロセッサの組み合わせ、例えば、1つまたは複数のマイクロプロセッサを含む組み合わせ、またはDSPとマイクロプロセッサの組み合わせであってもよい。通信モジュール61は、トランシーバ、トランシーバ回路、通信インタフェースなどであり得る（例えば、通信モジュール61は、図4に示される無線周波数ユニットであり得る）。記憶モジュール62はメモリであってもよい。
【手続補正６】
【補正対象書類名】明細書
【補正対象項目名】０２１４
【補正方法】変更
【補正の内容】
【０２１４】
処理モジュール80は、プロセッサまたはコントローラであり得る（例えば、処理モジュール80は、図5に示されるプロセッサ40であり得る）。例えば、処理モジュール80は、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュール80は、本発明の実施形態に開示された内容を参照して説明されたさまざまな例示的な論理ブロック、モジュール、および回路を実装または実行することができる。あるいは、処理モジュール80は、計算機能を実装するプロセッサの組み合わせ、例えば、1つまたは複数のマイクロプロセッサを含む組み合わせ、またはDSPとマイクロプロセッサの組み合わせであってもよい。通信モジュール81は、トランシーバ、トランシーバ回路、通信インタフェースなどであり得る（例えば、通信モジュール81は、図5に示されるRF回路41であり得る）。記憶モジュール82は、メモリであり得る（例えば、記憶モジュール82は、図5に示すメモリ43であり得る）。
【手続補正７】
【補正対象書類名】明細書
【補正対象項目名】０２１８
【補正方法】変更
【補正の内容】
【０２１８】
処理モジュールは、プロセッサまたはコントローラであり得る（例えば、処理モジュールは、図4に示されるプロセッサであり得る）。例えば、処理モジュールは、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュールは、本発明の実施形態に開示された内容を参照して説明されたさまざまな例示的な論理ブロック、モジュール、および回路を実装または実行することができる。あるいは、処理モジュールは、計算機能を実装するプロセッサの組み合わせ、例えば、1つまたは複数のマイクロプロセッサを含む組み合わせ、またはDSPとマイクロプロセッサの組み合わせであってもよい。通信モジュールは、トランシーバ、トランシーバ回路、通信インタフェースなどであり得る（例えば、通信モジュールは、図4に示される無線周波数ユニットであり得る）。記憶モジュールはメモリであり得る。
【手続補正８】
【補正対象書類名】明細書
【補正対象項目名】０２２２
【補正方法】変更
【補正の内容】
【０２２２】
処理モジュールは、プロセッサまたはコントローラであり得る（例えば、処理モジュールは、図5に示されるプロセッサ40であり得る）。例えば、処理モジュールは、CPU、汎用プロセッサ、DSP、ASIC、FPGA、または別のプログラム可能な論理デバイス、トランジスタ論理デバイス、ハードウェアコンポーネント、またはそれらの任意の組み合わせであり得る。処理モジュールは、本発明の実施形態に開示された内容を参照して説明されたさまざまな例示的な論理ブロック、モジュール、および回路を実装または実行することができる。あるいは、処理モジュールは、計算機能を実装するプロセッサの組み合わせ、例えば、1つまたは複数のマイクロプロセッサを含む組み合わせ、またはDSPとマイクロプロセッサの組み合わせであってもよい。通信モジュールは、トランシーバ、トランシーバ回路、通信インタフェースなどであり得る（例えば、通信モジュールは、図5に示されるRF回路41であり得る）。記憶モジュールは、メモリであり得る（例えば、記憶モジュールは、図5に示すメモリ43であり得る）。
【手続補正９】
【補正対象書類名】図面
【補正対象項目名】図８
【補正方法】変更
【補正の内容】
【図８】
2021503843.tif 000017
【国際調査報告】
2021503843.tif 000018
2021503843.tif 000019
2021503843.tif 000020
2021503843.tif 000021